(57)【要約】      （修正有）【課題】ランドセルカバーとして既存のランドセルに対してその機能を阻害することなく取付けでき、また、防災頭巾として頭部の周囲を広範囲で保護できること。【解決手段】防災頭巾兼用ランドセルカバー１は、緩衝性を有する長方形状の表部材１０及び裏部材２０と、表部材１０及び裏部材２０の長辺側及び短辺側の２辺の端部が接合された閉鎖端部３１Ｓ，３１Ｌと、表部材１０の他方の長辺側の端部側及び裏部材２０の他方の長辺側の端部側で表部材１０と裏部材２０の間隔を調節自在に表部材１０と裏部材２０の間を接続する紐状体４１及び紐止め具４２とを具備し、短辺側閉鎖端部３１Ｓ側にランドセルの差込ベロ部が挿通される開口部５０が形成され、表部材１０の他方の長辺側及び短辺側の端部７１ＦＬ，７１ＦＳと裏部材２０の他方の長辺側及び短辺側の端部７１ＢＬ，７１ＢＳが開放端とされている。【選択図】図１
2019154548.tif 000002
【特許請求の範囲】
【請求項１】
ランドセルの冠表を覆う緩衝性を有する長方形状の表部材と、
前記表部材に対向し、前記ランドセルの冠裏を覆う緩衝性を有する長方形状の裏部材と、
前記表部材の一方の長辺側の端部と前記裏部材の一方の長辺側の端部が接合され、また、前記表部材の一方の短辺側の端部と前記裏部材の一方の短辺側の端部が接合された閉鎖端部と、
前記閉鎖端部を形成しない前記表部材の他方の長辺側の端部側及び前記裏部材の他方の長辺側の端部側で、前記表部材と前記裏部材の間隔を調節自在に前記表部材と前記裏部材の間を接続するまたは前記表部材と前記裏部材の間を接続自在とする接続部材と
を具備する防災頭巾兼用ランドセルカバーであって、
前記表部材と前記裏部材が接合した前記短辺側の前記閉鎖端部側に前記ランドセルの差込ベロ部が挿通される開口部が形成され、
前記閉鎖端部を形成しない前記表部材の他方の長辺側及び短辺側の端部と前記裏部材の他方の長辺側及び短辺側の端部が開放端とされ、
前記開放端側から前記表部材及び前記裏部材の間に前記ランドセルの冠を挿入自在とし、前記ランドセルの冠の表裏を覆うランドセルカバーとして前記ランドセルの冠に装着自在であり、また、前記開放端側から前記表部材及び前記裏部材の間に人体の頭部を挿入自在とし、前記頭部の周囲を保護する防災頭巾として前記頭部に装着自在であることを特徴とする防災頭巾兼用ランドセルカバー。
【請求項２】
前記短辺側の前記閉鎖端部は前記表部材の短辺側の端部と前記裏部材の短辺側の端部の全長が接合して閉じられており、前記開口部は前記短辺側の前記閉鎖端部の端縁よりも内側で前記裏部材に設けられていることを特徴とする請求項１に記載の防災頭巾兼用ランドセルカバー。
【請求項３】
前記開口部は前記閉鎖端部側の前記表部材の短辺側の端部と前記裏部材の短辺側の端部間が部分的に接合されることなく前記表部材の短辺側の端部と前記裏部材の短辺側の端部の間の開口であることを特徴とする請求項１に記載の防災頭巾兼用ランドセルカバー。
【請求項４】
更に、前記開口部の付近に前記表部材と前記裏部材を部分的に接合自在とする接合部材を具備することを特徴とする請求項１乃至請求項３の何れか１つに記載の防災頭巾兼用ランドセルカバー。
【請求項５】
更に、前記開口部を被覆自在な被覆部を有することを特徴とする請求項１乃至請求項３の何れか１つに記載の防災頭巾兼用ランドセルカバー。
【請求項６】
前記接続部材は前記表部材及び前記裏部材に取付けられた紐状体で構成され、前記防災頭巾として前記頭部に装着した際に前記紐状体が顎紐として機能することを特徴とする請求項１乃至請求項５の何れか１つに記載の防災頭巾兼用ランドセルカバー。
【請求項７】
前記紐状体には、前記紐状体が挿通され前記表部材及び前記裏部材の間を架け渡す接続長さを調節自在とする調節部材を取付けたことを特徴とする請求項６に記載の防災頭巾兼用ランドセルカバー。
【発明の詳細な説明】
【技術分野】
【０００１】
本発明は、ランドセルを着用している学童に対し登下校時に防災頭巾の携帯を可能とする防災頭巾兼用ランドセルカバーに関するもので、特に、通常時はランドセルの冠（かぶせ）に取付けられてランドセルカバーとして機能し、地震等の災害時等にはランドセルから取外して頭部を保護する防災頭巾として使用できる防災頭巾兼用ランドセルカバーに関するものである。
【背景技術】
【０００２】
我が国は世界有数の地震大国であると言われており、特に、近年では地震による災害が相次いで生じていることを受け、いつ何時起こるかわからない地震から身を守るために、日頃から防災準備や避難の訓練をするといった国民の防災意識が高まっている。
ここで、例えば、学校等の家屋内で地震の発生を受けたときには、机の下に避難することで、落下物等から自分の身を守ることができるが、屋外で地震の発生を受けたときには、安全な場所を咄嗟に判断して避難する対応をしなければならない。しかしながら、小学生等の子供では、そのような自分の身を守るための対応判断が難しく、登下校中に地震が発生した際にはパニックにつながる恐れもある。
【０００３】
そこで、登下校の際に地震が発生したときでも落下物等から自分の身を守れるように、防災頭巾を携帯する方法が考えられる。ランドセルの教科書等を収容する本体内に防災頭巾を収容して携帯することも可能であるが、防災頭巾の収納に場所を取ることから多くの教科書を収容できなくなるという問題がある。
【０００４】
また、例えば、特許文献１では、ランドセルの背あてに折り畳んだ防災頭巾を収める防災頭巾専用の収容部を設ける技術を提案しているが、ランドセルを改良する必要があるために既存のランドセルに対応させることができない。更に、特許文献１の技術では、ランドセル全体の容積が増大することになるために小学生が背負う重量負担を増大させることになる。
【０００５】
更に、特許文献２では、ランドセルの本体と冠（蓋）の間に折り畳んだ防災頭巾を挟みこみ、防災頭巾を冠にバンド等で固定することが提案されている。しかし、冠裏に分厚い防災頭巾を固定することから、本体底部の錠前に対する冠の錠前の係止位置が変わり、冠を本体に固定し難くなって使い勝手が悪くなったり、本体や冠に変形等が生じやすくなったりする恐れがある。また、防災頭巾をバンド等で固定するのみでは、防災頭巾が位置ずれしやすく、防災頭巾を落としたり、場合によっては防災頭巾の一部が本体から食み出して周辺物に引っかけたりする恐れがある。
【０００６】
そこで、特許文献３では、ランドセルの冠（蓋）に取付けられ、かつ、救命具として使用可能な防災救命ランセルカバーを提案している。この特許文献３に記載のランドセルカバーは、伸縮性を有し、角部が円弧状となった矩形の外装部材と、該外装部材に長手方向基部を除く外周部が連結された伸縮性を有する内装部材とを備え、前記外装部材の長手方向基部と前記内装部材の長手方向基部との間に開口が、前記内装部材の長手方向中央部に前記開口より該内装部材の裏側に挿入された前記被せ蓋を該内装部材の表側に通過させる取り出し口が、前記内装部材の長手方向先部に前記被せ蓋の先側の掛止部が挿通可能な保持部がそれぞれ形成されたカバー本体と、前記外装部材と前記内装部材との間に配置される柔軟性を有するシート状発泡材とを有し、更に、前記カバー本体の両側部の長手方向の中央より基側の位置にそれぞれ形成された対となる第１、第２の挿通孔と、前記カバー本体の両側部の長手方向の中央より先側の位置にそれぞれ形成された対となる第３、第４の挿通孔と、一方が前記第１、第３の挿通孔を挿通し、他方が前記第２、第４の挿通孔を挿通して、それぞれ端部に抜け留め部が形成された紐部材と、該紐部材の中央に設けられた紐留めストッパーとを有するものである。
【０００７】
この特許文献３の記載によれば、ランドセルの被せ蓋の先側に設けられた掛止部を、ランセルカバーの開口、取り出し口、保持部の順に通過させることにより、被せ蓋の基側を内装部材における開口と取り出し口に挟まれた領域で保持することができ、被せ蓋の先側を掛止部を介して保持部で掛止することができる。これにより、被せ蓋に防災救命ランドセルカバーを容易に取り付けることができると共に、被せ蓋から防災救命ランドセルカバーを容易に取外すことができるとされている。また、地震等の災害発生時には、防災救命ランドセルカバーをランドセルの被せ蓋から取外し、取り出し口から内装部材の裏側に挿入した紐部材を取り出して、防災救命ランドセルカバーのカバー本体の開口から児童が頭部を内装部材とシート状発泡材との間に挿入し、取り出し口から頭部上側を内装部材の表側に突出させると、対となる第１、第２の挿通孔を頭部の背面側に、対となる第３、第４の挿通孔を頭部の上方にそれぞれ位置させることができる。次いで、紐部材の内装部材の表側に存在している部分を引くことにより、変形する外装部材を介してシート状発泡材の頸部の後側に配置された部分を頸部背面側に当接させることができ、カバー本体の先側を内装部材を内側にして頭頂部に当接するように屈折させることができる。これにより、カバー本体を頭部を覆う防災頭巾に変形させることができるとされている。
【先行技術文献】
【特許文献】
【０００８】
【特許文献１】特開２００７−１１１０７８号公報
【特許文献２】特開２０１６−０３４３８９号公報
【特許文献３】登録実用新案３２０９０９１号公報
【発明の概要】
【発明が解決しようとする課題】
【０００９】
ところが、特許文献３に記載の防災救命ランドセルカバーは、浮袋としての救命用にも使用するものであり、沈みにくい重さで、かつ、水が浸入することのないようにする必要から、上述したように、矩形の外装部材の周囲に内装部材を接合し、外装部材及び内装部材の周囲の端部が閉じられて全体が矩形状に形成された構成であり、防災頭巾として使用する際には、矩形状のカバー本体を折り曲げて頭部の後方から頭頂部側を保護する形態である。このため、頭部を保護する面積が小さいものとなっている。
【００１０】
そこで、本発明は、ランドセルカバーとして既存のランドセルに対してその機能を阻害することなく取付けでき、また、防災頭巾として頭部の周囲を広範囲で保護でき頭部に対する保護力が高い防災頭巾兼用ランドセルカバーの提供を課題とするものである。
【課題を解決するための手段】
【００１１】
請求項１の発明の防災頭巾兼用ランドセルカバーは、ランドセルの冠表を覆う緩衝性を有する長方形状の表部材及び前記表部材に対向し前記ランドセルの冠裏を覆う緩衝性を有する長方形状の裏部材の周囲の４辺のうち、前記表部材の一方の長辺側の端部及び前記裏部材の一方の長辺側の端部で接合し、また、前記表部材の一方の短辺側の端部及び前記裏部材の一方の短辺側の端部で接合して一方の短辺側及び長辺側の２辺の端部を閉鎖端部とし、前記表部材の他方の長辺側及び短辺側の端部と前記裏部材の他方の長辺側及び短辺側の端部とを開放端としているものであり、前記閉鎖端部を形成しない前記表部材の他方の長辺側の端部側及び前記裏部材の他方の長辺側の端部側で前記表部材と前記裏部材の間が接続部材によって接続自在とされまたは前記表部材と前記裏部材の間隔を調節自在に接続され、また、前記表部材と前記裏部材が接合した短辺側の閉鎖端部側に前記ランドセルの差込ベロ部が挿通される開口部が形成されているものである。そして、前記開放端側から前記表部材及び前記裏部材の間に前記ランドセルの冠を挿入自在とし、前記ランドセルの冠の表裏を覆うランドセルカバーとして前記ランドセルの冠に装着自在であり、また、前記開放端側から前記表部材及び前記裏部材の間に頭部を挿入自在とし、前記頭部の周囲を保護する防災頭巾として前記頭部に装着自在であるものである。
【００１２】
ここで、上記表部材は、ランドセルの冠への装着によってランドセルの冠表を覆い、また、頭部への装着によって頭部を覆って保護するものであり、衝撃を吸収できる緩衝性（クッション性）を有する材料で形成される。この表部材の寸法は、ランドセルの規格に対応するものであり、ランドセルの冠表の横幅寸法と略同等または若干大きく形成され、ランドセルの冠表の縦幅寸法と略同等または若干小さく形成されて冠表の略全面を覆う寸法であれば、既存の小学生用の防災頭巾と同等以上に頭部の周囲を広範囲で保護でき、また、ランドルの冠表を覆う意匠面からも好ましい。しかし、厳格に冠が露出しない条件に設定されるものでなく、特定の規格の冠に合致していても別の冠ではアンダーサイズまたはオーバーサイズになるものであってもよい。
【００１３】
上記裏部材も、ランドセルの冠への装着によってランドセルの冠裏を覆い、また、頭部への装着によって頭部を覆って保護するものであるから、衝撃を吸収できる緩衝性を有する材料で形成される。この裏部材の寸法は、通常、表部材と同一寸法形状に形成されて、ランドセルの規格に対応するものであり、ランドセルの冠裏の横幅寸法と略同等または若干大きく形成され、ランドセルの冠裏の縦幅寸法と略同等または若干小さく形成されて冠裏の略全面を略覆う寸法であれば、既存の小学生用の防災頭巾と同等以上に頭部の周囲を広範囲で保護でき、また、意匠面からも好ましい。前記表部材と同様、厳格に冠が露出しない条件に設定されるものでなく、特定の規格の冠に合致していても別の冠ではアンダーサイズまたはオーバーサイズになるものであってもよい。
【００１４】
ここで、上記長方形状の表部材、上記長方形状の裏部材は、既存のランドセルの冠の全体形状が縦横比が相違する矩形状であることからすれば、ランドセルの冠の表裏で冠全体を覆う表部材や裏部材の形状も矩形状に特定されるが、４つの内角が略直角に等しく、また、２本の対角線が等しい長さであれば、縦横比が相違する矩形状に限定されることなく、縦横比が同一の正方形も概念に入れるものであり、長方形と見做される形状を特定したものである。なお、正方形の場合には長辺及び短辺の方向性が特定されないものとなる。また、正確に長方体形状ではなく、基本的形状が長方形であれば、端部の各角が面取りされているものも含まれる。
【００１５】
上記閉鎖端部は、前記表部材の一方の長辺側の端部と前記裏部材の一方の長辺側との端部が接合され、また、前記表部材の一方の短辺側の端部と前記裏部材の一方の短辺側の端部とが接合されることで形成された閉じられた端部であって、ランドセルの冠や人体の頭部の挿入口とされない端部を意味するが、必ずしも短辺及び長辺の端部の全長が閉じられていなくてもよく、例えば、前記表部材の一方の短辺側の端部と前記裏部材の一方の短辺側の端部との間で開口部を形成する場合には、短辺側の全長が閉じられることなく、部分的な接合とされることもある。また、上記閉鎖端部は、前記表部材の一方の長辺側の端部と前記裏部材の一方の長辺側との端部が接合され、また、前記表部材の一方の短辺側の端部と前記裏部材の一方の短辺側の端部とが接合され閉鎖できる構成であれば、例えば、雄部材及び雌部材からなる１対の線ファスナ等によって開閉自在に閉じる構成であってもよい。
【００１６】
上記接続部材としては、前記閉鎖端部を形成しない前記表部材の他方の長辺側の端部側及び前記裏部材の他方の長辺側の端部側で前記表部材と前記裏部材の間を接続できるものであればよく、例えば、ホック、スナップボタン、ドット釦、磁石ボタン等の各種ボタン、紐状体、面ファスナ等の接着布、ゴム等が使用できる。１対のボタン、１対の接着布等による接合や、１対の紐状体を結ぶことによる接合等の接合及び分離が自在な接続部材による接続自在とした構成であってもよいし、１本の紐状体やゴム等の接続部材により前記表部材と前記裏部材の間の間隔を調節自在に接続する構成であってもよい。
【００１７】
上記開口部は、前記表部材と前記裏部材が接合した短辺側の閉鎖端部側に設けられ、前記ランドセルの差込ベロ部の横幅に対応し前記表部材及び前記裏部材の前記短辺方向、即ち、横幅方向に長く形成されて、前記ランドセルの差込ベロ部が挿通されるものであり、短辺方向（横幅方向）に延びるスリット状または所定の大きさの開口である。前記閉鎖端部側の前記表部材の短辺側端部と前記裏部材の短辺側端部との間で部分的に接合することなくそこを開口部としてもよいし、前記閉鎖端部から所定距離離れた内側で前記裏部材の表裏を貫通する形態で開口部を設けてもよい。
【００１８】
そして、上記開放端は、前記閉鎖端部を形成しない前記表部材の他方の長辺側及び短辺側の端部と前記裏部材の他方の長辺側及び短辺側の端部であり、ランドセルの冠や人体の頭部の挿入口となる。この開放端側からの開放で、前記表部材及び前記裏部材の間に前記ランドセルの冠を挿入自在とし、前記ランドセルの冠の表裏を覆うランドセルカバーとして前記ランドセルの冠に装着自在とされ、また、前記表部材及び前記裏部材の間に人体の頭部を挿入自在とし、前記頭部の周囲を保護する防災頭巾として前記頭部に装着自在とされる。
なお、ランドセルの冠（かぶせ）とは、教科書等が収容される本体部の収容部開口に被せる蓋のことである。
【００１９】
請求項２の発明の防災頭巾兼用ランドセルカバーは、請求項１の構成において、前記閉鎖端部を形成する前記表部材の短辺側の端部と前記裏部材の短辺側の端部の全長が接合して閉じられており、前記短辺側の閉鎖端部の端縁よりも内側で前記裏部材に前記開口部が形成されているものである。
【００２０】
上記表部材の短辺側の端部と前記裏部材の短辺側の端部の全長が接合とは、前記表部材の短辺側の端部と前記裏部材の短辺側の端部が部分的な接合ではなく、それら略全長に亘って連続して接合されていることによって前記表部材及び前記裏部材において閉鎖端部を形成する短辺側の略全長が閉じられていることを意味する。ランドセルの冠に装着した際にランドセルの冠の長方形蓋の下辺の短辺の端縁に対応することになる前記閉鎖端部側の表部材の短辺側の端部と前記裏部材の短辺側の端部を全長に亘って閉じることで、ランドセルの冠の長方形蓋の下辺の短辺の端縁の略全長を覆うことができるようにするものである。厳格に短辺方向の一端から他端まで前記表部材と前記裏部材が隙間なく接合されていることを要求するものではなく、縫い代等の確保、縫製の作業性から短辺の長さよりも短い長さで縫合等により接合されていてもよい。
そして、上記開口部は、前記短辺側の閉鎖端部の端縁よりも内側で前記裏部材の表裏を貫通して設けられるものである。
【００２１】
請求項３の発明の防災頭巾兼用ランドセルカバーの前記開口部は、請求項１の構成において、前記閉鎖端部を形成する前記表部材の短辺側の端部と前記裏部材の短辺側の端部間が部分的に接合されずに設けられた前記表部材の短辺側の端部と前記裏部材の短辺側の端部の間の開口である。即ち、前記短辺側の閉鎖端部側で、前記表部材の短辺側の端部と前記裏部材の短辺側の端部間で部分的に接合することなくその部分を開口部としたものである。
【００２２】
請求項４の発明の防災頭巾兼用ランドセルカバーは、請求項１乃至請求項３の何れか１つの構成において、更に、前記開口部の付近に前記表部材と前記裏部材を部分的に接合自在とする接合部材を設けたものである。
上記接合部材は、前記開口部の付近で前記表部材と前記裏部材を部分的に接合自在とするものであり、接合及び分離自在な接続部材、例えば、１対の雄部材と雌部材からなるホック、ドット釦、ボタン及びボタンホール、スナップボタン、面ファスナ（マジックテープ（登録商標））等の接着布、線ファスナ、磁石等が使用できるが、迅速な接合を可能とする面ファスナ等の接着布、磁石等が好適である。この接合部材は、前記開口部の長さに沿って前記短辺方向に長く設けてもよいし、前記開口部の長さに対して部分的に設けてもよい。前記表部材と前記裏部材の長手方向に直角な横幅方向でその横幅全長を接合してもよいが、部分的な接合であると、頭部に装着した際に、前記表部材及び前記裏部材の間に挿入されている頭部の耳に開口部から外部の音が届きやすくなる。
【００２３】
請求項５の発明の防災頭巾兼用ランドセルカバーは、請求項１乃至請求項３の何れか１つの構成において、更に、前記開口部を被覆自在な被覆部を有するものである。
上記被覆部は、防災頭巾として頭部に装着した際に、前記開口部を覆い前記開口部から前記表部材の内面と前記裏部材の内面の間に落下物等が進入するのを遮断、阻止するものであり、前記開口部を前記表部材または前記裏部材の内面側で覆ってもよいし、外面側で覆ってもよい。前記開口部の面積全体を遮断するのが好ましいが外部からの音を聞き取りやすくするために、厳密に前記開口部の面積全体をカバーしていなくてもよい。この被覆部は、例えば、長尺状に形成した被覆部をその長手方向に直角な幅方向の一端側で前記開口部の付近に取付けたものであってもよいし、表部材及び裏部材を短辺側の閉鎖端部側で折り曲げて開口部を被覆する被覆部を形成してもよい。
【００２４】
請求項６の発明の防災頭巾兼用ランドセルカバーは、請求項１乃至請求項５の何れか１つの構成において、前記接続部材が前記表部材及び前記裏部材に取付けられた紐状体で構成され、前記頭部に装着した際に前記紐状体が顎紐として機能するものである。
上記紐状体としては、例えば、紐、ベルト、ゴム等が使用でき、前記表部材及び前記裏部材に対し１本の紐等を取り付けても良いし、前記表部材と前記裏部材の各部材毎に１本の紐等を取付け前記表部材に取付けた１本の紐等と前記裏部材に取付けた１本の紐等を結ぶことで前記表部材と前記裏部材の間を接続自在とする構成であってもよい。
【００２５】
請求項７の発明の防災頭巾兼用ランドセルカバーは、請求項６の構成において、前記紐状体に、前記紐状体が挿通され前記表部材及び前記裏部材の間を架け渡す接続長さを調節自在な調節部材を取付けたものである。
上記調節部材は、前記紐状体が挿通される貫通孔を有し、前記表部材と前記裏部材の間を架け渡す接続長さを調節自在とする構成を成すものであればよく、例えば、バックル等のアジャスタや、前記紐状体に対しスライド自在、かつ、前記紐状体を締付けて拘束することで係止する前記紐状体の任意の位置に係止自在な構造を成す紐止め具等が使用される。
【発明の効果】
【００２６】
請求項１の発明に係る防災頭巾兼用ランドセルカバーによれば、ランドセルの冠表を覆う緩衝性を有する長方形状の表部材と前記表部材に対向し前記ランドセルの冠裏を覆う緩衝性を有する長方形状の裏部材とが、前記表部材の一方の長辺側の端部と前記裏部材の一方の長辺側との端部で接合され、また、前記表部材の一方の短辺側の端部と前記表部材の一方の短辺側の端部とで接合されて、前記表部材及び前記裏部材の各周囲の４辺のうち短辺及び長辺の２辺側の端部が閉鎖端部とされ、前記閉鎖端部を形成しない前記表部材の他方の長辺側及び短辺側の端部と前記裏部材の他方の長辺側及び短辺側の端部とが開放端とされ、前記開放端側から前記表部材の内面及び前記裏部材の内面の間に前記ランドセルの冠が挿入自在である。前記表部材の内面及び前記裏部材の内面の間に挿入された前記ランドセルの冠は、その差込ベロ部が、前記表部材及び前記裏部材が接合した短辺側の閉鎖端部側に設けた開口部に通されて外面側に引き出され、ランドセル本体部の下端側及び差込ベロ部の先端側に設けた錠前（一対の固定具）によりランドセル本体部に固定される。
【００２７】
こうして前記表部材の内面及び前記裏部材の内面の間へのランドセルの冠の挿入によりランドセルの冠表を表部材で覆うと共に、ランドセルの冠裏を裏部材で覆い、表部材及び裏部材の間でランドセルの冠を挟むようにランドセルの冠に装着される。このとき、表部材及び裏部材の長辺側の開放端側、即ち、閉鎖端部を形成していない表部材の他方の長辺側の端部側及び裏部材の他方の長辺側の端部側で、前記表部材と前記裏部材の間が接続部材で接続されることで前記表部材と前記裏部材の移動が拘束され位置ずれを防止できる。
【００２８】
このように、請求項１の発明に係る防災頭巾兼用ランドセルカバーによれば、ランドセルの冠表を表部材で覆い、ランドセルの冠裏を裏部材で覆うランドセルカバーとしてランドセルの冠に装着することで、ランドセルの冠の傷付き等の損傷を防止し、また、表部材及び裏部材が緩衝性を有するから、壁等にぶつかってランドセルの冠側が外力を受けたときでもランドセルへの衝撃及びランドセルの装着者への衝撃を吸収し緩和できる。ランドセルへの装着によって、他のランドセルと区別する識別性を持たせることも可能である。
【００２９】
また、地震等の災害時には、ランドセルから取外し、即ち、表部材及び裏部材の間に入れられていたランドセルの冠を表部材及び裏部材の開放端側から外し、表部材及び裏部材の開放端から表部材の内面及び裏部材の内面の間に人体の頭部を挿入することで、頭部の周囲を表部材及び裏部材で覆い頭部を保護する防災頭巾として頭部に装着できる。
【００３０】
このように、請求項１の発明に係る防災頭巾兼用ランドセルカバーによれば、防災頭巾として頭部を覆う面積が表部材と裏部材とに分割されランドセルカバーとして装着の際には表部材を冠表に配置する一方で、裏部材を冠裏に配置して、表部材及び裏部材を重ねた全体では分厚い防災頭巾兼用ランドセルカバーの厚みもランドセルの冠表側に配置する表部材とランドセルの冠裏側に配置する裏部材に分散され、ランドセルの冠裏と本体部との間に介在する裏部材の厚みは表部材及び裏部材を重ねた全体の厚みよりも少なく、折り畳むことなく冠に装着するものであるから、既存のランドセルの本体部の下端側に設けた錠前に対する冠の先端側の錠前の係止位置に影響を与えない取付けを可能とする。更に、表部材及び裏部材が接合した短辺側の閉鎖端部側に開口部を設けそこにランドセルの冠の差込ベロ部を通しており、また、表部材及び裏部材の長辺側の開放端側でも接続部材で前記表部材と前記裏部材の間を接続部材で接続するから、ランドセルの冠に対し位置ずれし難い固定を可能とする。
【００３１】
そして、頭部に装着する防災頭巾として、前記表部材の一方の長辺側の端部と前記裏部材の一方の長辺側との端部が接合され、また、前記表部材の一方の短辺側の端部と前記表部材の一方の短辺側の端部が接合された表部材と裏部材の間に人体の頭部を入れる装着形態であるから、緩衝性を有する表部材及び裏部材によって頭部の周囲全体を広くカバーでき保護力が高いものである。
【００３２】
こうして、請求項１の発明に係る防災頭巾兼用ランドセルカバーによれば、防災頭巾兼用ランドセルカバーとして既存のランドセルに対してその機能を阻害することなく取付けでき、また、防災頭巾として頭部の周囲を広範囲で保護できる。
【００３３】
請求項２の発明に係る防災頭巾兼用ランドセルカバーによれば、前記開口部が前記短辺側の閉鎖端部の端縁よりも内側で前記裏部材に設けられて前記短辺側の閉鎖端部は前記表部材の短辺側の端部と前記裏部材の短辺側の端部の全長が接合して閉じられていることから、ランドセルの冠に装着した際にランドセルの冠の長方形蓋の下辺の短辺の端縁の全長を覆うことができる。よって、請求項１に記載の効果に加えて、損傷を受けやすい冠の下辺の端縁であっても露出させることなくカバーできて、冠の下辺の端縁の損傷を防止できる。
【００３４】
請求項３の発明に係る防災頭巾兼用ランドセルカバーによれば、前記開口部が前記閉鎖端部側の前記表部材の短辺側の端部と前記裏部材の短辺側の端部間が部分的に接合されることなく前記表部材の短辺側の端部と前記裏部材の短辺側の端部の間に設けた開口であることから、前記表部材や前記裏部材に切り込み等を入れて開口部を設ける必要がなく、縫製作業も容易となる。よって、請求項１に記載の効果に加えて、製造の容易化、作業性の向上を可能とする。
【００３５】
請求項４の発明に係る防災頭巾兼用ランドセルカバーによれば、前記開口部の付近に前記表部材と前記裏部材を部分的に接合自在とする接合部材を具備するから、請求項１乃至請求項３の何れか１つに記載の効果に加えて、防災頭巾として頭部に装着した際に、前記表部材と前記裏部材を接合部材で部分的に接合することで、前記開口部から落下物等が前記表部材の内面と前記裏部材の内面の間が進入して頭部に当たるのを阻止することができる。また、前記表部材と前記裏部材を接合部材で接合することで強度が増し、衝撃を緩和する効果を高めることができる。
【００３６】
請求項５の発明に係る防災頭巾兼用ランドセルカバーによれば、更に、前記開口部を被覆自在な被覆部を有するから、請求項１乃至請求項３の何れか１つに記載の効果に加えて、防災頭巾として頭部に装着した際に、前記被覆部で開口部を覆うことで、前記開口部から落下物等が前記表部材の内面と前記裏部材の内面の間に進入して頭部に当たるのを阻止することができる。
【００３７】
請求項６の発明に係る防災頭巾兼用ランドセルカバーによれば、前記接続部材は前記表部材及び前記裏部材に取付けられた紐状体で構成され、前記頭部に装着した際に前記紐状体が顎紐として機能するから、請求項１乃至請求項５の何れか１つに記載の効果に加えて、防災頭巾として人体の頭部に装着した際に、顎紐として前記接続部材を装着者の顎にかけることで、頭部からの落下や位置ずれを防止できる。
【００３８】
請求項７の発明に係る防災頭巾兼用ランドセルカバーによれば、前記紐状体には、前記紐状体が挿通され前記表部材及び前記裏部材の間を架け渡す接続長さを調節自在な調節部材を取付けたことから、請求項６に記載の効果に加えて、紐を結んだり及びその結びを解したりする操作を必要とすることなく、調節部材によって前記表部材及び前記裏部材の間を接続する接続長さを調節自在とし前記表部材及び前記裏部材の間隔を調節自在であるから、緊急時でもランドセルからの取外しの作業及び人体の頭部に装着し固定する作業を迅速に行うことができ、ランドセルカバーから防災頭巾への切替え操作を容易にできる。
【図面の簡単な説明】
【００３９】
【図１】図１は本発明の実施の形態に係る防災頭巾兼用ランドセルカバーの構成を示す説明図であり、（ａ）は本発明の実施の形態に係る防災頭巾兼用ランドセルカバーの表部材及び裏部材を重ねた状態で外面側を見て表部材の構成を示す平面図であり、（ｂ）は本発明の実施の形態に係る防災頭巾兼用ランドセルカバーの表部材及び裏部材を重ねた状態で外面側を見て裏部材の構成を示す裏面図である。
【図２】図２は本発明の実施の形態に係る防災頭巾兼用ランドセルカバーの内面側の構成を示す斜視図である。
【図３】図３は本発明の実施の形態に係る防災頭巾兼用ランドセルカバーの構成を示す説明図であり、（ａ）は本発明の実施の形態に係る防災頭巾兼用ランドセルカバーを表部材及び裏部材の間を拡げた状態で縦向きで示す斜視図、（ｂ）は本発明の実施の形態に係る防災頭巾兼用ランドセルカバーを表部材及び裏部材の間を拡げた状態で横向きで示す斜視図である。
【図４】図４は本発明の実施の形態に係る防災頭巾兼用ランドセルカバーのランドセルカバーとしてのランドセルの冠への装着を説明する説明図である。
【図５】図５は本発明の実施の形態に係る防災頭巾兼用ランドセルカバーのランドセルカバーとしてのランドセルの冠への装着状態を示す斜視図である。
【図６】図６は本発明の実施の形態に係る防災頭巾兼用ランドセルカバーのランドセルカバーとしてのランドセルの冠への装着状態を示す側面図であり、（ａ）はランドセルの冠側を正面としたときの左側面図、（ｂ）はランドセルの冠側を正面としたときの右側面図である。
【図７】図７は本発明の実施の形態に係る防災頭巾兼用ランドセルカバーの防災頭巾としての人体の頭部への装着状態を説明する説明図であり、（ａ）は正面図、（ｂ）は左側面図、（ｃ）は背面図である。
【図８】図８は本発明の実施の形態に係る防災頭巾兼用ランドセルカバーを防災頭巾として人体の頭部に装着する別の装着形態を説明する説明図であり、（ａ）は正面図、（ｂ）は右側面図、（ｃ）は背面図である。
【図９】図９は本発明の実施の形態の変形例に係る防災頭巾兼用ランドセルカバーの構成を示す説明図であり、（ａ）は変形例に係る防災頭巾兼用ランドセルカバーの表部材及び裏部材を重ねた状態で外面側を見て表部材の構成を示す平面図であり、（ｂ）は変形例に係る防災頭巾兼用ランドセルカバーの表部材及び裏部材を重ねた状態で外面側を見て裏部材の構成を示す裏面図である。
【図１０】図１０は本発明の実施の形態の変形例に係る防災頭巾兼用ランドセルカバーのランドセルカバーとしてのランドセルの冠への装着を説明する説明図である。
【図１１】図１１は本発明の実施の形態の変形例に係る防災頭巾兼用ランドセルカバーの構成を示す説明図であり、（ａ）は変形例に係る防災頭巾兼用ランドセルカバーを表部材及び裏部材の間を拡げた状態で縦向きで示す斜視図、（ｂ）は本発明の実施の形態の変形例に係る防災頭巾兼用ランドセルカバーを座布団としての使用状態を説明するための説明図である。
【図１２】図１２は本発明の実施の形態の変形例に係る防災頭巾兼用ランドセルカバーを防災頭巾として人体の頭部への装着状態を説明する説明図であり、（ａ）は正面図、（ｂ）は左側面図である。
【図１３】図１３は本発明の実施の形態の変形例に係る防災頭巾兼用ランドセルカバーを防災頭巾として人体の頭部に装着する別の装着形態を説明する説明図であり、（ａ）は正面図、（ｂ）は右側面図である。
【図１４】図１４は開口部への落下物等の進入を阻止する別の手段を説明する説明図であり、（ａ）は開口部を長尺状の被覆部で覆う説明図であり、（ｂ）は開口部を覆うように表部材及び裏部材を折り曲げて被覆部を形成しそれをボタンとボタンループで固定する説明図である。
【図１５】図１５は開口部への落下物等の進入を阻止する更に別の手段を説明する説明図であり、（ａ）は開口部の周囲を伸縮自在に構成する説明図であり、（ｂ）は開口部の周囲に芯材を設けた説明図である。
【発明を実施するための形態】
【００４０】
以下、本発明の実施の形態について、図面を参照しながら説明する。
なお、実施の形態において、同一の記号及び同一の符号は同一または相当する機能部分を意味し、実施の形態及び変形例相互の同一の記号及び同一の符号は、それら実施の形態及び変形例に共通する機能部分であるから、ここでは重複する詳細な説明を省略する。
【００４１】
まず、本発明の実施の形態に係る防災頭巾兼用ランドセルカバー１の全体の構成について、主に、図１乃至図３を参照して説明する。
本実施の形態に係る防災頭巾兼用ランドセルカバー１は、主に、長方形状の表部材１０及び表部材１０に対向し表部材１０の周囲の４辺のうちの短辺及び長辺の２辺の端部に縫合により接合している長方形状の裏部材２０で構成されている。
【００４２】
長方形状の表部材１０は、図４乃至図６に示すランドセル１１０の冠（かぶせ）１１１に装着した際にランドセル１１０の冠表１１１Ｆを覆うものであり、例えば、袋状に閉じられた表生地及びそれに対向する裏生地からなる外生地の中に緩衝材（クッション材）を入れて形成され、緩衝性（クッション性）を有するものである。
【００４３】
表部材１０を形成する表生地及び裏生地からなる外生地は、１枚物の生地を袋状に形成してもよいし、２枚またはそれ以上の生地を縫い合わせて袋状に形成してもよい。例えば、長方形状に裁断した表生地となる１枚の布地と同じく長方形状に裁断した裏生地となる１枚の布地を端部で重ね合わせて両者をミシン糸で縫い合わせることで形成できる。端部に補強のためのパイピング処理を施してもよい。外生地の素材は、特に限定されないが、例えば、綿素材等を使用することで、汗等の吸収性に優れ洗濯も容易である。また、難燃性のアクリル、ポリエステル、アラミド等の素材を使用した場合には、防火、防炎、熱の遮断等に有用である。更に、撥水素材や防水素材の使用や撥水加工や防水加工を施した素材の使用では、雨天時等であっても水の染み込みが防止され、また、頭部に装着する雨避けとしての使用にも活用できる。袋状に閉じられる外生地の中には、例えば、発泡ウレタン、綿、フェルト、スポンジ、発泡ゴム、立体網状構造体、プラスチックパイプ等のクッション性を有する緩衝材が入れられる。
【００４４】
なお、外生地に緩衝性（クッション性）を有する布地を使用しても良く、所定の緩衝性を有する布地の使用によって、袋状とした外生地の中に入れる緩衝材を省略することも可能である。更には、袋状に閉じることなく緩衝性を有する布地を長方形状に裁断した一枚物で表部材１０を形成してもよいし、緩衝性を有する布地を層状に重ねて接合することで表部材１０を形成してもよい。
【００４５】
この表部材１０の寸法形状は、図４乃至図６に示す既存のランドセル１１０の冠１１１の規格に対応し、既存のランドセル１１０の冠１１１の横幅寸法と同程度またはそれよりも若干大きく、また、冠１１１の縦幅寸法と同程度またはそれよりも若干小さく形成される。例えば、横幅が２５〜３２ｃｍ、縦幅が３９〜４６ｃｍ程度に形成される。
【００４６】
なお、ランドセル１１０の持ち主の識別、他者のランドセル１１０との区別を容易とするために、例えば、ランドセル１１０の冠１１１にランドセルカバーとして装着した際に意匠面となる表生地に、アルファベットや、数字や、文字や、リボン、星、花等の図形・ワンポイントマークや、絵等の装飾品を付加してもよい。これらの装飾品は表生地に直接縫付けてもよいし、接着布、ボタン等で着脱自在に取付けてもよいし、表生地に孔を設けその孔に嵌合させることで着脱自在に取付けるようにしてもよい。或いは、表生地を透明なビニルシートからなるポケット構造とし、その透明なポケット内に所望の柄が印刷されたシートや布地等を入れて使用者の好みに応じて意匠面をカスタマイズできるようにしてもよい。更には、視認性を高めるための反射材や発光材を設けてもよい。
【００４７】
また、この表部材１０に対向させる長方形状の裏部材２０は、図４乃至図６に示すランドセル１１０の冠１１１に装着した際にランドセル１１０の冠裏１１１Ｂを覆うものであり、通常、表部材１０と同一寸法形状に形成され、表部材１０と同様に緩衝性を有し、その構成は上記表部材１０の説明が適用される。表部材１０と裏部材２０は同じ素材で統一してもよいし、異なる素材を使用してもよい。なお、例えば、ランドセル１１０の冠裏１１１Ｂ側において意匠面側となる表生地には、マスク、ホイッスル、防犯ブザー、鍵、小型ＧＰＳ(Global Positioning System)機器等の小物収納用のポケットを設けてもよいし、ポケットをビニル等の透明に形成して、その中に、名前やクラス等が記載された用紙等の名札を入れて、持ち主の識別を容易とするようにしてもよい。特に、このような収納ポケットを設け、その中にマスクを常備しておくと、火災等の災害時にランドセルカバーから防災頭巾に切替える際、収納ポケットからマスクを取出して口に装着することで煙等の吸い込みを防止し、迅速な避難を可能とする。
【００４８】
そして、本実施の形態の防災頭巾兼用ランドセルカバー１においては、これら長方形状の表部材１０及び長方形状の裏部材２０が短辺及び長辺の２辺の端部でＬ字状に接合している。即ち、表部材１０の周囲の４辺のうちの短辺及び長辺の２辺の端部が裏部材２０の周囲の４辺のうちの短辺及び長辺の２辺の端部と縫合線３２で縫合わされており、表部材１０の一方の短辺の端部と裏部材２０の一方の短辺の端部との縫合による接合で短辺側閉鎖端部３１Ｓが形成され、また、表部材１０の一方の長辺の端部と裏部材２０の一方の長辺の端部との縫合による接合で長辺側閉鎖端部３１Ｌが形成されている。
【００４９】
一方、表部材１０の周囲の４辺のうち他方の短辺及び長辺の２辺の端部、並びに、裏部材２０の周囲の４辺のうち他方の短辺及び長辺の２辺の端部は、縫合わされることなく自由端となっている。つまり、表部材１０の周囲の４辺のうちの他方の短辺及び長辺の端部と裏部材２０の周囲の４辺のうちの他方の短辺及び長辺の端部とは閉じられることなく、短辺側閉鎖端部３１Ｓに対向する表部材１０の反対側の短辺側端部７１ＦＳ及び裏部材２０の反対側の短辺側端部７１ＢＳは開放端となっており、また、長辺側閉鎖端部３１Ｌに対向する表部材１０の反対側の長辺側端部７１ＦＬ及び裏部材２０の反対側の長辺側端部７１ＢＬは開放端となっている。
【００５０】
また、本実施の形態の防災頭巾兼用ランドセルカバー１においては、裏部材２０の短辺側閉鎖端部３１Ｓ側に開口部５０が設けられている。特に、本実施の形態において、開口部５０は短辺側閉鎖端部３１Ｓの端縁よりも内側で、例えば、端縁から１ｃｍ〜４ｃｍ離れた位置で、裏部材２０の表裏を貫通する孔として形成されている。
【００５１】
この開口部５０は、図４乃至図６に示すランドセル１１０の冠１１１の先端部側に設けられている差込ベロ部１１２が通されるものであり、冠１１１の先端側で延出している差込ベロ部１１２の横幅に応じた寸法で裏部材２０の短辺方向に長く形成されている。図１乃至図８において、開口部５０は、裏部材２０の短辺側閉鎖端部３１Ｓ側で短辺方向に長い楕円形状に形成されているが、即ち、楕円孔に切り欠いて形成されているが、スリット状に切り込みを入れて形成してもよいし、角孔に切り欠いて形成してもよい。開口部５０の周囲はステッチ、パイピング、布等で補強してもよい。
【００５２】
更に、本実施の形態の防災頭巾兼用ランドセルカバー１においては、１対の面ファスナ（マジックテープ（登録商標））等の接着布からなる接合部材６２ａ及び接合部材６２ｂが表部材１０及び裏部材２０の内面側（裏面側）に取付けられている。即ち、裏部材２０の内面側に短辺方向に長い長尺状の接着布からなる接合部材６２ｂが設けられ、接着布からなる接合部材６２ｂに対応して短辺方向に長い長尺状の接着布からなる接合部材６２ａが表部材１０の内面側に設けられている。
【００５３】
本実施の形態において、この１対の接着布からなる接合部材６２ａ,６２ｂは、互いに対向関係にあり、接合部材６２ｂが裏部材２０の内面側であって短辺側閉鎖端部３１側とは反対側の開口部５０の近傍に短辺方向（横幅方向）に長く設けられており、また、接合部材６２ｂに対応する所定位置で接合部材６２ａが表部材１０の内面側に短辺方向に長く設けられている。なお、１対の接着布からなる接合部材６２ａ,６２ｂは、表部材１０及び裏部材２０の内面側に縫付けや接着剤等によって取付けられる。
【００５４】
このように本実施の形態の防災頭巾兼用ランドセルカバー１では、裏部材２０の内面側において短辺側閉鎖端部３１側とは反対側の開口部５０の近傍に接着布からなる接合部材６２ｂが設けられ、また、表部材２０の内面側において接合部材６２ａに対応する接着布からなる接合部材６２ｂが設けられており、これら１対の接着布からなる接合部材６２ａ及び接合部材６２ｂの接合によって表部材１０の内面と裏部材２０の内面の部分的な接合を可能とする。
【００５５】
これにより、開口部５０を設けていても、後述する図７及び図８で示すように、防災頭巾として頭部に装着した際に開口部５０よりも人体の頭部に近い側で接合部材６２ａ及び接合部材６２ｂの接合によって表部材１０の内面と裏部材２０の内面が部分的に接合されるから、落下物等が開口部５０から進入して人体の頭部に到達するのを阻止できる。更に、接合部材６２ａ及び接合部材６２ｂの接合による表部材１０の内面と裏部材２０の内面の接合で、閉鎖されている短辺側閉鎖端部３１と接合部材６２ａ及び接合部材６２ｂの接合部との間における強度の増大や衝撃時の表部材１０と裏部材２０の撓み変形により落下物等からの衝撃を吸収して緩和する効果が高められる。
【００５６】
加えて、本実施の形態の防災頭巾兼用ランドセルカバー１においては、表部材１０の自由端側の長辺側端部７１ＦＬ側と裏部材２０の自由端側の長辺側端部７１ＢＬ側で表部材１０と裏部材２０の間を接続する紐状体４１が表部材１０及び裏部材２０に取付けられている。
【００５７】
本実施の形態において、紐状体４１は、表部材１０及び裏部材２０の内面側（裏面側）において複数箇所設けた紐状またはテープ状のループ４３に通すことによって、表部材１０及び裏部材２０の内面側に取付けられている。
具体的には、例えば、図２及び図３に示すように、表部材１０の内面側において、自由端側の長辺側端部７１ＦＬの近く、横幅方向の中間部、及び長辺側閉鎖端部３１Ｌの近くに紐状体４１が通されるループ４３を取付け、また、裏部材２０の内面側においても、自由端側の長辺側端部７１ＢＦの近く、横幅方向の中間部の近くに紐状体４１が通されるループ４３を取付け、それらループ４３に紐状体４１を通すことによって表部材１０及び裏部材２０の内面側で表部材１０及び裏部材２０の横幅方向でそれらの内面周囲に紐状体４１を配設する。
そして、この複数のループ４３の位置は、例えば、表部材１０及び裏部材２０の内面側において自由端側の短辺側端部７１ＦＳ,７１ＢＳの端縁から表部材１０及び裏部材２０の長手方向の全長に対し１／４〜１／３の程度の長さだけ内側に設けられる。例えば、短辺側端部７１ＦＳ,７１ＢＳの端縁から５ｃｍ〜１５ｃｍ程度離れた位置に設けられる。
【００５８】
こうしてループ４３を介して表部材１０と裏部材２０の内面側に取付けられた紐状体４１の長さ方向の両端部側は、紐止め具４２の貫通孔に挿通されており、また、その端末で結び目を形成して紐止め具４２の脱落を阻止している。紐状体４１に取付けられた紐止め具４２は、一般的に、コードストッパーと称されるものであり、押部４２ａを押すことで紐状体４１に沿ってスライド移動を自在とし、押し操作の解除で紐状体４１を締付けて紐状体４１の任意の位置に係止されるものである。紐状体４１の任意の位置での紐止め具４２の係止により表部材１０と裏部材２０の間を架け渡す接続長さの調節を自在とし、表部材１０と裏部材２０の間の間隔を調節可能とする。
【００５９】
こうして、本実施の形態の防災頭巾兼用ランドセルカバー１においては、表部材１０の自由端側の長辺側端部７１ＦＬ側と裏部材２０の自由端側の長辺側端部７１ＢＬ側で表部材１０と裏部材２０の間が紐止め具４２を介して紐状体４１で接続され、更に、紐状体４１に設けた紐止め具４２をスライド移動させて紐状体４１上での紐止め具４２の係止位置（締付位置）の調節により表部材１０と裏部材２０の間を架け渡す接続長さが調節自在とされている。
【００６０】
これにより、後述する図５及び図６で示すように、ランドセル１１０の冠１１１にランドセルカバーとして装着した際でも、表部材１０の自由端側の長辺側端部７１ＦＬ側と裏部材２０の自由端側の長辺側端部７１ＢＬ側で表部材１０と裏部材２０の間の間隔を紐状体４１及び紐止め具４２で固定できるから、冠１１１に装着した表部材１０及び裏部材２０の位置ずれを防止して冠１１１に固定できる。
【００６１】
特に、本実施の形態では、表部材１０及び裏部材２０の内面側に取付けた複数のループ４３に紐状体４１を通すことによって表部材１０及び裏部材２０の横幅方向での内面周囲に紐状体４１を取付けたことで、紐止め具４２の紐状体４１上の係止位置の調節によって表部材１０及び裏部材２０の内面周囲に配設した紐状体４１により表部材１０及び裏部材２０をその横幅方向で締付け自在とする。したがって、ランドセル１１０の冠１１１に装着した表部材１０及び裏部材２０の冠１１１への締付け固定によってもより位置ずれが生じ難い堅固な固定を可能とする。
【００６２】
更に、本実施の形態では、このように表部材１０の自由端側の長辺側端部７１ＦＬ側と裏部材２０の自由端側の長辺側端部７１ＢＬ側で表部材１０と裏部材２０の間を接続する接続部材が紐状体４１であるから、後述する図７及び図８で示すように、防災頭巾として人体の頭部に装着される際には、この紐状体４１を装着者の顎にかける顎紐として機能させることができる。
即ち、本実施の形態の紐状体４１は、上述したように、表部材１０及び裏部材２０の自由端側の短辺側端部７１ＦＳ,７１ＢＳの端縁から所定距離離れた位置に設けられ、防災頭巾兼用ランドセルカバー１を防災頭巾として人体の頭部に装着した際には、装着者の顎にかける顎紐として機能する。そして、紐状体４１に設けた紐止め具４２の係止位置の調節により表部材１０と裏部材２０の間を架け渡す接続長さを調節自在であるから、装着者の顎の周囲の長さに対応して装着者の顎にかける長さ、締付力の調節を自在とする。
【００６３】
特に、本実施の形態では、表部材１０及び裏部材２０の内面側に取付けた複数のループ４３に紐状体４１を通すことによって表部材１０及び裏部材２０の横幅方向でそれら内面周囲に紐状体４１を取付けたことで、紐状体４１上の紐止め具４２の係止位置の調節によって表部材１０及び裏部材２０の内面周囲に配設した紐状体４１により表部材１０及び裏部材２０をその横幅方向で締付け自在とする。したがって、人体の頭部に装着した表部材１０及び裏部材２０の頭部への締付け固定によって、頭部の大きさに対応して表部材１０及び裏部材２０をよりフィットさせて落下や位置ずれが生じ難い固定、即ち、頭部に対しより堅固な固定を可能とする。
【００６４】
次に、このように構成された本実施の形態の防災頭巾兼用ランドセルカバー１の使用態様について、図４乃至図８を参照して説明する。
図４乃至図６で示すように、本実施の形態の防災頭巾兼用ランドセルカバー１をランドセルカバーとしてランドセル１１０に装着する際には、表部材１０及び裏部材２０の自由端側の短辺側端部７１ＦＳ,７１ＢＳや長辺側端部７１ＦＬ,７１ＢＬの開放端側を開いて、表部材１０の内面側及び裏部材２０の内面側の間にランドセル１１０の冠１１１をその先端側の差込ベロ部１１２側から挿入する。このとき、表部材１０がランドセル１１０の冠表１１１Ｆ側に配置し、裏部材２０がランドセル１１０の冠裏１１１Ｂ側に配置するようにする。そして、表部材１０の内面側及び裏部材２０の内面側の間に挿入された冠１１１の先端側の差込ベロ部１１２を、裏部材２０に形成された開口部５０に通し、裏部材２０の内面側から外面側に開口部５０から導出する。なお、紐状体４１に設けた紐止め具４２の係止位置の調節により表部材１０の自由端側の長辺側端部７１ＦＬ側と裏部材２０の自由端側の長辺側端部７１ＢＬ側を紐状体４１が架け渡す接続長さを長くして表部材１０及び裏部材２０の間の間隔を緩めておくと、表部材１０の内面側及び裏部材２０の内面側の間にランドセル１１０の冠１１１をスムーズに通して、裏部材２０の開口部５０から冠１１１の先端側の差込ベロ部１１２を容易に引き出すことができる。
【００６５】
こうして、ランドセル１１０の冠１１１を表部材１０及び裏部材２０の短辺側端部７１ＦＳ,７１ＢＳや長辺側端部７１ＦＬ,７１ＢＬの開放端側から挿入して表部材１０と裏部材２０の間に入れ、そして、裏部材２０の開口部５０から冠１１１の先端側の差込ベロ部１１２を引き出すことによって、ランドセル１１０の冠１１１に対し表部材１０及び裏部材２０がそれを挟むように装着される。このとき、表部材１０の自由端側の長辺側端部７１ＦＬ側と裏部材２０の自由端側の長辺側端部７１ＢＬ側で表部材１０と裏部材２０の間が紐状体４１で接続されていることで、表部材１０と裏部材２０の位置ずれを制限できる。即ち、この表部材１０と裏部材２０の間を接続している紐状体４１の紐止め具４２を、図５で示したように、表部材１０の長辺側端部７１ＦＬ側と裏部材２０の長辺側端部７１ＢＬ側に引き寄せた状態とし、表部材１０の長辺側端部７１ＦＬ側と裏部材２０の長辺側端部７１の間を紐状体４１により架け渡す接続長さを短くして表部材１０及び裏部材２０の間の間隔を制限すると、表部材１０及び裏部材２０の移動がロックされる。
【００６６】
更に、本実施の形態では、表部材１０及び裏部材２０の内面側に取付けた複数のループ４３に紐状体４１を通すことによって表部材１０と裏部材２０の横幅方向の内面周囲に紐状体４１を配設していることで、紐状体４１上の紐止め具４２の係止位置によって紐状体４１により表部材１０及び裏部材２０をその横幅方向（短辺方向）で締付け自在である。即ち、紐止め具４２を表部材１０の長辺側端部７１ＦＬ側と裏部材２０の長辺側端部７１ＢＬ側に強く引き寄せて表部材１０及び裏部材２０の横幅方向の距離を絞ることで、ランドセル１１０の冠１１１に対しその表裏に配置する表部材１０及び裏部材２０を締付けて、ランドセル１１０の冠１１１に対し表部材１０及び裏部材２０がより位置ずれし難い堅固な固定も可能である。
【００６７】
こうして、本実施の形態の防災頭巾兼用ランドセルカバー１によれば、表部材１０及び裏部材２０の短辺側端部７１ＦＳ,７１ＢＳや長辺側端部７１ＦＬ,７１ＢＬの開放端側からランドセル１１０の冠１１１を挿入し、裏部材２０の開口部５０から差込ベロ部１１２を引き出し、更に、紐状体４１の紐止め具４２を表部材１０の長辺側端部７１ＦＬ側と裏部材２０の長辺側端部７１ＢＬ側に引き寄せるのみの簡単な操作でランドセルカバーとしてランドセル１１０の冠１１１に容易に取付けることができる。
【００６８】
特に、本実施の形態の防災頭巾兼用ランドセルカバー１によれば、表部材１０の自由端側の長辺側端部７１ＦＬ側と裏部材２０の自由端側の長辺側端部７１ＢＬ側で表部材１０と裏部材２０の間を接続する接続部材が紐状体４１であるから、冠１１１のサイズを問わずに、冠１１１に対し位置ずれし難い固定を可能とする。更に、紐状体４１に紐止め部４２を取付けたことで、紐状体４１上で紐止め部４２をスライドさせ任意の位置で係止させる簡単な操作で表部材１０の長辺側端部７１ＦＬ側と裏部材２０の長辺側端部７１の間を架け渡す接続長さの調節を自在とし、小さな子供でも簡単に表部材１０と裏部材２０の拘束間隔を決定して冠１１１に対し位置ずれし難い固定を可能とする。更に、紐状体４１を表部材１０及び裏部材２０の横幅方向で内面周囲に取付けたことで、表部材１０及び裏部材２０をその横幅方向（短辺方向）で締付け自在であるから、紐止め部４２の紐状体４１上での係止位置の調節により、表部材１０及び裏部材２０の横幅方向の距離を絞り、ランドセル１１０の冠１１１に対し表部材１０及び裏部材２０がより位置ずれしない堅固な固定を可能とする。
【００６９】
そして、このように本実施の形態の防災頭巾兼用ランドセルカバー１が装着されたランドセル１１０の冠１１１は、本体部１１５の教科書等が収納される収納部の開口を閉じるように被せられ、防災頭巾兼用ランドセルカバー１の開口部５０から引き出された冠１１１の差込ベロ部１１２の先端の錠前１１２ａの孔を本体部１１５の底部に設けられた錠前の凸部に嵌めて錠前をロックすることで本体部１１５に固定される。
【００７０】
ここで、本実施の形態の防災頭巾兼用ランドセルカバー１によれば、後述するように防災頭巾として頭部の周囲を広範囲で覆うことができる面積を有するも、ランドセルカバーとしてはその面積を表部材１０と裏部材２０に分けて冠１１１の表裏に配置させる形態である。即ち、冠表１１１Ｆに表部材１０を配置し、冠裏１１１Ｂに裏部材２０を配置させるものである。したがって、表部材１０及び裏部材２０を重ねた全体では分厚い防災頭巾兼用ランドセルカバー１の厚みもランドセル１１０の冠表１１１Ｆに配置する表部材１０とランドセル１１０の冠裏１１１Ｂに配置する裏部材２０とに分散され、ランドセル１１０の冠裏１１１Ｂと本体部１１５との間に介在する裏部材２０の厚みは表部材１０及び裏部材２０を重ねた全体の厚みよりも少ない略半分で済み、防災頭巾兼用ランドセルカバーカバー１を折り畳むことなく冠１１１に装着するから、既存のランドセル１１０の本体部１１５の下端の底部に設けた錠前（凸部）に対する冠１１１の先端側の錠前（孔）１１２ａの係止位置に影響を与えない取付けを可能とし、既存のランドセルの使い勝手を損ねることはなく、冠裏１１１Ｂと本体部１１５との間に介在する裏部材２０の厚みで本体部１１５や冠１１１に変形等を生じさせる恐れもない。特に、本実施の形態では、紐状体４１を表部材１０及び裏部材２０の横幅方向に沿って内面の周囲に取付けたことで、表部材１０及び裏部材２０をその横幅方向で締付け自在であり、締付けによって厚みを絞れるから、ボリュームを抑えてよりコンパクトに収めた装着を可能とし、錠前の係止位置に与える影響を少なくできる。
【００７１】
そして、本実施の形態の防災頭巾兼用ランドセルカバー１によれば、ランドセルカバーとしてランドセル１１０の冠１１１に装着し、表部材１０が冠表１１１Ｆを覆い、また、裏部材２０が冠裏１１１Ｂを覆うことで、冠１１１の損傷や、紫外線による冠１１１の劣化等を避けることができる。更に、表部材１０及び裏部材２０が緩衝性を有することにより外力、衝撃を吸収して緩和できるから、外力によるランドセル１１０の損傷を効果的に防止できることに加え、小学生の身体に伝わる外力、衝撃を緩和して外力、衝撃から保護する効果を高めることができる。
【００７２】
加えて、本実施の形態の防災頭巾兼用ランドセルカバー１によれば、表部材１０の一方の短辺側の端部の全長及び裏部材２０の一方の短辺側の端部の全長が縫合線３２にて縫合されて短辺側閉鎖端部３１Ｓが形成されており、表部材１０の一方の短辺側の端部及び裏部材２０の一方の短辺側の端部がその全長で閉じられている。これより、図４で示すように、擦り切れ、傷付き等が生じやすい冠１１１の長方形部分の短辺端縁においてものその全長を短辺側閉鎖端部３１Ｓで覆い、保護できる。
【００７３】
そして、このようにしてランドセル１１０の冠１１１に装着された防災頭巾兼用ランドセルカバー１をランドセル１１０から取外す際には、表部材１０及び裏部材２０の短辺側端部７１ＦＳ,７１ＢＳや長辺側端部７１ＦＬ,７１ＢＬの開放端側から表部材１０及び裏部材２０の間に挟まれている冠１１１を引き抜くことで取外すことができる。或いは、表部材１０及び裏部材２０の短編側閉鎖端部３１Ｓ側を冠１１１の長手方向で引っ張ることで、冠１１１から取外すことができる。このとき、冠１１１への装着状態で、表部材１０の自由端側の長辺側端部７１ＦＬ側と裏部材２０の自由端側の長辺側端部７１ＢＬ側に引き寄せていた紐止め具４２を移動させて表部材１０及び裏部材２０の間の間隔を緩めておくと、表部材１０及び裏部材２０の間からランドセル１１０の冠１１１をスムーズに引き抜くことができる。
【００７４】
こうして、本実施の形態の防災頭巾兼用ランドセルカバー１によれば、表部材１０及び裏部材２０の間から冠１１１を引き抜くのみの簡単な操作で裏部材２０の開口部５０に通していた差込ベロ部１１２も引き抜かれ、ランドセル１１０の冠１１１から容易に取外すことができる。このとき、紐止め具４２をスライド移動させる操作で表部材１０及び裏部材２０の間隔を緩めておくと、表部材１０及び裏部材２０の間からランドセル１１０の冠１１１をスムーズに引き抜くことができる。
【００７５】
特に、紐止め具４２の押し部４２ａの押し操作及びその解除を含むスライド移動の操作のみで表部材１０及び裏部材２０の間隔を緩めて表部材１０及び裏部材２０の間からランドセル１１０の冠１１１をスムーズに引き出すことができるから、小さな子供でも簡単に迅速な取外しが可能である。即ち、登下校中に地震等が発生した際でも、ランドセル１１０の冠１１１から防災頭巾兼用ランドセルカバー１を迅速に取外し、防災頭巾に転用させることが可能である。
【００７６】
そして、図７及び図８で示すように、本実施の形態の防災頭巾兼用ランドセルカバー１を防災頭巾として人体の頭部に装着する際には、表部材１０及び裏部材２０の内面側に設けた１対の接着布からなる接合部材６２ａ及び接合部材６２ｂを接合し、表部材１０及び裏部材２０の自由端側の短辺側端部７１ＦＳ,７１ＢＳや長辺側端部７１ＦＬ,７１ＢＬの開放端側から表部材１０及び裏部材２０の間に人体の頭部を挿入して表部材１０及び裏部材２０の間で人体の頭部を挟むように装着し、表部材１０及び裏部材２０によって頭部の周囲を覆う。このとき、表部材１０及び裏部材２０の間を接続している紐状体４１に取付けた紐止め具４２をスライド移動させる操作で表部材１０及び裏部材２０の間隔を緩めておくと、頭部の大きさに対応して表部材１０及び裏部材２０の間にスムーズに挿入することができる。
【００７７】
こうして表部材１０と裏部材２０の間に人体の頭部を配置したら、紐状体４１を装着者の顎に対応させて、紐状体４１に取付けた紐止め具４２を任意の位置にスライド移動させることで紐状体４１の表部材１０と裏部材２０の間を架け渡す接続長さを調節して装着者の顎にかける。これによって、防災頭巾兼用ランドセルカバー１を防災頭巾として頭部に装着した装着者が走った時等でも、頭巾がずれて落下することもなくなる。
特に、紐状体４１を表部材１０及び裏部材２０の横幅方向に沿って内面の周囲に取付けたことで、紐止め具４２の係止位置の調節によって表部材１０及び裏部材２０をその横幅方向（短辺方向）で締付け自在であり、表部材１０及び裏部材２０の間に配置された頭部の寸法形状に対して表部材１０及び裏部材２０の間をきつく締付けフィットさせる固定が可能であるから、表部材１０及び裏部材２０が頭部から外れたり位置ずれしたりするのを防止することができる。
【００７８】
また、本実施の形態では、紐止め具４２の押部４２ａの押し操作及びその解除を含むスライド移動の操作のみで表部材１０及び裏部材２０の間隔の絞りが容易であり、小さな子供でも簡単かつ迅速に頭部に対して堅固な取付けを可能とする。即ち、緊急時でも速やかに頭部に対して堅固な取付けを可能とし、避難のために走ったときでも、防災頭巾が頭部から外れ難く、落下物等から常時頭部を保護できる態勢となる。
【００７９】
防災頭巾兼用ランドセルカバー１を防災頭巾として使用する態様としては、図７に示すように、表部材１０及び裏部材２０の短辺側端部７１ＦＳ,７１ＢＳの開放端側から表部材１０及び裏部材２０の間に人体の頭部を挿入して、短辺側閉鎖端部３１Ｓ側が人体の頭部の頭頂部側に位置し長辺側閉鎖端部３１Ｌ側が人体の頭部の後頭部側に位置するように、防災頭巾兼用ランドセルカバー１の長手方向を頭部の上下方向に一致させる形態で被せてもよいし、図８に示すように、表部材１０及び裏部材２０の長辺側端部７１ＦＬ,７１ＢＬの開放端側からから表部材１０及び裏部材２０の間に人体の頭部を挿入して、長辺閉鎖端部３１Ｌ側が人体の頭部の頭頂部側に位置し短辺側閉鎖端部３１Ｓ側が人体の頭部の後頭部側に位置するように、防災頭巾兼用ランドセルカバー１の長手方向を頭部の前後方向に一致させる形態で被せてもよい。
【００８０】
そして、このように、本実施の形態の防災頭巾兼用ランドセルカバー１によれば、ランドセル１１０の冠表１１１Ｆを覆う表部材１０とランドセルの冠裏１１１Ｂを覆う裏部材２０がＬ字状に周囲の２辺の端部で接合された構成によって、表部材１０及び裏部材２０の間に頭部を入れるものであるから、図７及び図８に示した何れの装着形態であっても、人体の頭部の前頭部側から頭頂部を介して後頭部側の範囲及び左側頭部側から頭頂部を介して右側頭部側の範囲にかけての広範囲に亘って頭部の周囲を保護できる。
【００８１】
特に、図７に示したように、表部材１０及び裏部材２０の短辺側端部７１ＦＳ,７１ＢＳの開放端側から表部材１０及び裏部材２０の間に頭部を挿入して防災頭巾兼用ランドセルカバー１の長手方向が頭部の上下方向に一致する縦長に装着する形態では、頭部から首部や肩部まで広く覆うことができる。なお、この装着形態では、短辺側閉鎖端部３１Ｓ側で接合された１対の接着布からなる接合部材６２ａ及び接合部材６２ｂの位置に頭部が到達しない程度の深さで装着される。短辺側閉鎖端部３１Ｓ側とは反対側で開口部５０の付近に接着布からなる接合部材６２ｂが設けられそれに対応する位置の表部材１０の内面側に接着布からなる接合部材６２ａが設けられているが、小学生の頭部のサイズであれば、図７に示すように、１対の接着布からなる接合部材６２ａ及び接合部材６２ｂの接合位置に到達しない程度の頭部の深さで十分に頭部の周囲を広範囲に亘って保護できる。
【００８２】
また、頭部の大きさが小さい低学年の子では、図８に示すように、表部材１０及び裏部材２０の長辺側端部７１ＦＬ,７１ＢＬの開放端側から頭部を挿入して防災頭巾兼用ランドセルカバー１の長手方向が頭部の前後方向に一致する装着形態で、短辺側閉鎖端部３１Ｓが後頭部側に位置するように被っても頭部全体をすっぽり覆うことができる。この場合には、顔の前面側の左右から表部材１０及び裏部材２０が突きだすから顔面側の保護が強化される。この装着形態では、短辺側閉鎖端部３１Ｓ側で接合された１対の接着布からなる接合部材６２ａ及び接合部材６２ｂの位置に頭部が到達しない程度の奥行きで装着される。
【００８３】
特に、本実施の形態では、紐状体４１が顎紐として機能し、紐状体４１に設けた紐止め具４２の係止位置の調節により顎の周囲の長さに対応して顎に掛けることができる。更に、紐状体４１が表部材１０及び裏部材２０の横幅方向の内面周囲に取付けられていることで、紐状体４１に設けた紐止め具４２の係止位置の調節により表部材１０及び裏部材２０をその横幅方向で締付け自在であり表部材１０及び裏部材２０の間隔を絞ることができるから、頭部の寸法形状に対応して表部材１０及び裏部材２０をきつく締付けることができる。
【００８４】
よって、何れの装着形態を選択しても頭部の寸法形状に応じて表部材１０及び裏部材２０をフィットさせることができ、位置ずれし難い装着が可能であり、装着者の頭部のサイズ、使い勝手等に応じ装着形態を選択できる。そして、このように頭部の大きさにフィットする固定した取付けが可能であるから、走っても頭部からずれて落下することがない。両手が荷物等で塞がっているときでも、防災頭巾として頭部に装着した防災頭巾兼用ランドセルカバー１の落下を防止するために手で抑える必要もないから、迅速な避難を可能とする。
【００８５】
ここで、本実施の形態の防災頭巾兼用ランドセルカバー１では、ランドセルに装着する際に差込ベロ部１１２を通すための開口部５０が設けられているが、防災頭巾として使用する際には、裏部材２０の内面側で開口部５０の近傍に短辺側閉鎖端部３１側とは反対側に取付けられた接着布からなる接合部材６２ｂ及びそれに対応する表部材１０の内面側に取付けられた接合部材６２ａを接合することにより、頭部に装着した際に開口部５０よりも人体に近い側で、表部材１０の内面と裏部材２０の内面が部分的に接合されることで、落下物等が開口部５０から進入し頭部に直撃する事態を避けることができる。
【００８６】
また、このように１対の接着布からなる接合部材６２ａ及び接合部材６２ｂの配置は、裏部材２０の横幅方向（短辺方向）に長い開口部５０の開口長さと同程度に設定しているも、表部材１０及び裏部材２０の横幅長さの全長に亘ることなく、表部材１０及び裏部材２０の横幅長さの一部である。即ち、１対の接着布からなる接合部材６２ａ及び接合部材６２ｂは表部材１０及び裏部材２０の横幅の全長を閉じるものではなく、表部材１０及び裏部材２０の横幅長さを部分的に閉鎖するものである。よって、表部材１０及び裏部材２０の間で頭部を挟む空間と、開口部５０が設けられている短辺閉鎖端部３１Ｓ側の空間とで連通する隙間が存在するから、開口部５０による通気性も確保され、装着時に蒸れ難いものとなる。更に、防災頭巾として頭部への装着状態で、開口部５０からの外部の音が聞き取りやすいものとなる。一方で開口部５０が装着の耳の位置に当たらないから、爆音等の衝撃は緩和される。
【００８７】
更に、本実施の形態の防災頭巾兼用ランドセルカバー１では、このように短辺側閉鎖端部３１Ｓ側で１対の接着布からなる接合部材６２ａ及び接合部材６２ｂによる表部材１０及び裏部材２０の部分的な接合個所が存在することで短辺側閉鎖端部３１Ｓ側の強度の向上により短辺側閉鎖端部３１Ｓ側での緩衝性（衝撃吸収性）が向上し、衝撃の緩和効果が高まる。よって、図７に示したように、短辺側閉鎖端部３１Ｓ側が頭部の頭頂部に位置する装着形態では、頭部の頭頂部側の保護が強化され、図８に示したように、短辺側閉鎖端部３１Ｓ側が頭部の後頭部側に位置する装着形態では、後頭部側の保護が強化される。
【００８８】
なお、表部材１０及び裏部材２０の間隔を緩める方向に紐止め具４２をスライド移動させて表部材１０及び裏部材２０の間隔を緩めることで、頭部から防災頭巾兼用ランドセルカバー１を容易に取外すことができ、通常時は上述したようにランドセルカバーとして使用される。
【００８９】
特に、本実施の形態の防災頭巾兼用ランドセルカバー１によれば、紐止め具４２のスライド操作のみで、表部材１０及び裏部材２０の間を架け渡す接続長さの調節、表部材１０及び裏部材２０の間隔調整が容易にできる。また、表部材１０の内面及び裏部材２０の内面を部分的に接合する接合部材６２ａ及び接合部材６２ｂが１対の接着布であるから、防災頭巾として使用する際の表部材１０の内面及び裏部材２０の内面の接合も容易である。
よって、ランドセルカバーとしてランドセル１１０の冠１１１に装着した状態からの取外し及び防災頭巾としての頭部へ装着する切替え操作が容易であり、地震、火災等の災害緊急時でも、ランドセルカバーから防災頭巾としての使用の切替えが極めて容易にできる。
【００９０】
なお、ここでは地震等の災害時に落下物等から頭部を保護する防災頭巾として使用される説明としたが、人体の頭部に装着して寒さ、風から守る防寒用、防風用の頭巾として使用してもよいし、表部材１０及び裏部材２０が防水、撥水性を有するものであれば、頭部に装着して雨避けや雪避けの雨具用の頭巾としても活用できる。更に、表部材１０及び裏部材２０が緩衝性を有するから、学校の椅子の座面に載置する座布団や椅子の背もたれクッション、災害発生時に避難場所で枕等としても快適に使用できる。
【００９１】
ところで、上記実施の形態では、表部材１０の内面及び裏部材２０の内面を接合する接合部材６２ａ,６２ｂとして１組の１対のマジックテープ（登録商標）からなる面ファスナ等の接着布を用い、表部材１０及び裏部材２０の横幅方向（短辺方向）に幅広としたが、本発明を実施する場合には、２組以上を使用し、所定の間隔で開口部５０の近傍に配置するようにしてもよい。このような面ファスナ等と呼ばれる接着布を用いることで、ランドセルカバーとしてランドセル１１０の冠１１１に装着したときでも冠１１１を傷付け難く、また、防災頭巾として頭部に装着する際に、１対の接合部材６２ａ,６２ｂの接合が容易にできる。そして、防災頭巾として頭部に装着している際に頭部に接合部材６２ａ，６２ｂが接触したときでも頭部に異物感や違和感を与え難い。しかし、本発明を実施する場合には、表部材１０の内面及び裏部材２０の内面を接合する接合部材６２ａ,６２ｂは、１対のスナップボタン、ドット釦、線ファスナ等を用いてもよい。
【００９２】
また、上記実施の形態では、紐状体４１の表部材１０と裏部材２０の内周囲への取付けは、表部材１０の内面及び裏部材２０の内面に取付けたループ４３に紐状体４１を挿通することによって取付けられているが、本発明を実施する場合には、表部材１０及び裏部材２０の外周囲に設けてもよいし、そのような取付手段に限定されず、例えば、接着布、スナップボタン、ドット釦等の接続具を使用して取付けてもよいし、表部材１０及び裏部材２０に紐状体４１が挿入される袋状の紐通路を設け、その紐通路の中に紐状体４１を挿入することで、表部材１０と裏部材２０の周囲に紐状体４１を取付けるようにしてもよい。
【００９３】
次に、本実施の形態の変形例について説明する。
防災頭巾兼用ランドセルカバー１をランドセルカバーとして用いる際に、ランドセル１１０の差込ベロ部１１２が挿通される開口部５０について、上記実施の形態では、短辺側閉鎖端部３１Ｓ側の端縁よりも内側で裏部材２０に形成されている。即ち、図１等に示すように、上記実施の形態では、表部材１０の一方の短辺側の端部と裏部材２０の一方の短辺側の端部とがそれらの略全長で縫合（縫合線３２）されて短辺側閉鎖端部３１Ｓが形成されており、表部材１０の一方の短辺と裏部材２０の一方の短辺との全長に亘る短辺側閉鎖端部３１Ｓの端縁から所定距離離れた位置で裏部材２０に開口部５０が形成されている。
【００９４】
これに対し、変形例では、図９乃至図１３に示すように、短辺側閉鎖端部３１Ｓを形成する表部材１０の一方の短辺側の端部と裏部材２０の一方の短辺側の端部を短辺方向の中央側で部分的に縫合することなくその縫合しない箇所を開口部５０Ａとしている。
即ち、図９乃至図１３に示す変形例の防災頭巾兼用ランドセルカバー１Ａでは、表部材１０の一方の短辺の端部と裏部材２０の一方の短辺の端部とが短辺方向の両端部で縫合線３２Ａにて縫合されて、短辺方向の両端部側で短辺側閉鎖端部３１Ｓが形成されるも、短辺の中央部では表部材１０と裏部材２０とが縫合により接合されることなく開口部５０Ａを形成している。なお、開口部５０Ａの周囲でステッチ、パイピング、布等の補強を施してもよい。
【００９５】
この変形例では、表部材１０の一方の短辺の端部と裏部材２０一方の短辺の端部を部分的に縫合により接合することなく開口部５０Ａを形成するものであるから、上記実施の形態の開口部５０のように裏部材２０を切り欠く手間が省け、防災頭巾兼用ランドセルカバー１Ａの製造を容易とし、生産性の向上を図ることができる。
【００９６】
このように短辺側閉鎖端部３１Ｓ側で表部材１０の一方の短辺の端部と裏部材２０一方の短辺の端部を部分的に縫合しないことで表部材１０の一方の短辺の端部と裏部材２０一方の短辺の端部の間に所定の開口部５０Ａを形成した変形例においては、表部材１０の内面及び裏部材２０の内面を部分的に接合する１対の接合部材６２ａ，６２ｂの位置は、図９等に示したように、開口部５０Ａのすぐ近くであってもよいし、上記実施の形態のように、短辺側閉鎖端部３１Ｓから所定距離離れた位置であってもよい。このとき、１対の接合部材６２ａ，６２ｂによる表部材１０の内面及び裏部材２０の内面の部分的な接合は、１対の接合部材６２ａ，６２ｂによって表部材１０及び裏部材２０の横幅方向の全長を完全に閉じることなく、部分的に非接合箇所を設けておくことで、通気性及び外部の音の聞き取り易さを確保できる。
【００９７】
こうして、開口部５０Ａの近傍で１対の接合部材６２ａ，６２ｂを設けることによって、図１２及び図１３で示す防災頭巾として使用する際に１対の接合部材６２ａ，６２ｂにより部分的に表部材１０の内面及び裏部材２０内面が接合することで、開口部５０Ａから表部材１０及び裏部材２０の間に落下物等が進入して表部材１０及び裏部材２０の間に挿入されている頭部に直撃するのを阻止する。また、短辺側閉鎖端部３１Ｓ側での表部材１０の内面及び裏部材２０内面の部分的な接合により短辺側閉鎖端部３１Ｓ側での強度が高くなるから落下物等による衝撃を緩和する緩衝性が増大する。
【００９８】
ところで、上記実施の形態では、表部材１０の内面及び裏部材２０内面の周囲に所定間隔で設けた複数のループ４３に紐状体４１を通すことによって表部材１０の内面及び裏部材２０内面の周囲に紐状体４１を取付け、また、紐状体４１に紐止め具４２を取付けて紐止め具４２の係止位置の調節によって表部材１０及び裏部材２０の間を締付け自在とする構成である。
【００９９】
これに対し、変形例では、図９乃至図１３に示すように、防災頭巾としての使用時に顎紐として機能させる１対の紐状体４１Ａ，４１Ｂをホック４５によって表部材１０及び裏部材２０に取付自在としている。
【０１００】
具体的には、表部材１０の内面側であって、開放端側の長辺側端部７１ＦＬ側にホック４５の凸パーツ４５ａが取付られ、また、裏部材２０の内面側であって、開放端側の長辺側端部７１ＦＬ側にホック４５の凸パーツ４５ａに対応するその対向位置で凹パーツ４５ｂが取付けられている。表部材１０の内面及び裏部材２０の内面に取付られる１対の凸パーツ４５ａ及び凹パーツ４５ｂは、１対の紐状体４１Ａ，４１Ｂが取付けられそれが顎紐として機能する位置であればよく、２組以上設けて１対の紐状体４１Ａ，４１Ｂの取付位置を選択できるようにしてもよいし、１組であってもよい。例えば、図９乃至図１３においては、１対の凸パーツ４５ａ及び凹パーツ４５ｂを表部材１０及び裏部材２０の内面側であって表部材１０及び裏部材２０の開放端側の長辺端部と短辺端部のが交差する角部（隅部）と、短辺側端部７１ＦＳ,７１ＢＳの端縁から５ｃｍ〜１５ｃｍ程度離れた位置との２箇所に設けている。
【０１０１】
変形例では、このように開放端の長辺側端部７１ＦＬ，７１ＢＬ側で表部材１０の内面及び裏部材２０の内面にホック４５の１対の凸パーツ４５ａ及び凹パーツ４５ｂが取付られていることで、図１０に示すように、ランドセルカバーとしてランドセル１１０の冠１１１に装着する際に、紐状体４１を取付けなくとも、１対の凸パーツ４５ａ及び凹パーツ４５ｂの接合により開放端の長辺側端部７１ＦＬ，７１ＢＬ側で表部材１０及び裏部材２０を接続することで、表部材１０と裏部材２０の移動を拘束し、位置ずれを防止できる。つまり、変形例では、ホック４５の１対の凸パーツ４５ａ及び凹パーツ４５ｂを、表部材１０及び裏部材２０の開放端の長辺側端部７１ＦＬ，７１ＢＬ側で表部材１０と裏部材２０の間を接続する接続部材として機能させることができる。なお、上述したようにホック４５を２組以上設けて、２箇所以上で接合することにより、ランドセルカバーとしてランドセル１１０の冠１１１に取付けた際の位置ずれの防止効果が高く、また、表部材１０及び裏部材２０の開放端側の角部の捲れ等を防止できる。
【０１０２】
更に、変形例では、紐状体４１Ａの一端部に表部材１０の内面に設けたホック４５の凸パーツ４５ａに対応させるホック４５の凹パーツ４５ｃを取付け、ホック４５の凸パーツ４５ａ及び凹パーツ４５ｃの接合によって表部材１０に対し紐状体４１Ａを取付自在としている。また、紐状体４１Ｂの一端部に裏部材２０の内面に設けたホック４５の凹パーツ４５ｂに対応させるホック４５の凸パーツ４５ｄを取付け、ホック４５の凹パーツ４５ｂ及び凸パーツ４５ｄの接合によって裏部材２０に対し紐状体４１Ｂを取付自在としている。
これにより、図１２及び図１３で示すように、防災頭巾として頭部に装着する際には、表部材１０に取付けた紐状体４１Ａ及び裏部材２０に取付けた紐状体４１Ｂを顎で結んで顎紐として機能させることができる。
【０１０３】
この変形例では、ランドセルカバーとしての使用時には、１対の紐状体４１Ａ，Ｂをランドセルの本体部１１５等に収容しておき、或いは、表部材１０及び裏部材２０にポケット等を設けそこに紐状体４１Ａ，Ｂを収納しておき、防災頭巾としての使用時に、１対の紐状体４１Ａ，Ｂを表部材１０及び裏部材２０に取付けて顎紐として機能するようにしてもよいし、ランドセルカバーとしての使用時にも、１対の紐状体４１Ａ，Ｂをホック４５によって表部材１０や裏部材２０に取付けて、表部材１０及び裏部材２０の開放端の長辺側端部７１ＦＬ，７１ＢＬ側で１対の紐状体４１Ａ，Ｂを結ぶことによって表部材１０と裏部材２０の間を接続し表部材１０と裏部材２０の移動を拘束して位置ずれを防止する接続部材として機能させてもよい。
【０１０４】
特に、このようにランドセルカバーとしての使用時にも、紐状体４１Ａ，Ｂを表部材１０及び裏部材２０に取付けておくと、紐状体４１Ａ，Ｂも紛失し難く、更に、結ぶ位置の結び目の調節によって、表部材１０と裏部材２０の間を架け渡す接続長さが自在であるから、ランドセル１１０の冠１１１のサイズを問わず、ランドセル１１０の冠１１１に対し位置ずれし難い固定を可能とする。また、防災頭巾に切替える際でも、１対の紐状体４１Ａ，４１Ｂの結びを解き、或いは緩めることで、表部材１０と裏部材２０の間からランドセル１１０の冠１１１を容易に引き抜くことができ、そして、表部材１０と裏部材２０の間に頭部を入れて１対の紐状体４１Ａ，４１Ｂを顎にかけて前で結ぶことで容易かつ迅速に頭部から位置ずれし難い装着を可能とする。
【０１０５】
更に、変形例においては、裏部材２０の外面側であって開放端側の長辺側端部７１ＢＬ側にもホック４５が長辺方向の両端部に設けられている。具体的には、裏部材２０の外面側であって開放端の長辺側端部７１ＢＬ側において、長辺方向の一端部（角部）に紐状体４１Ａのホック４５の凹パーツ４５ｃに対応する凸パーツ４５ｅが取付けられ、また、長辺方向の他端部（角部）に紐状体４１Ｂのホック４５の凸パーツ４５ｄに対応する凹パーツ４５ｆが取付けられている。これより、図１１（ｂ）に示すように、裏部材２０の外面側の長辺側端部７１ＢＬ側でその長辺方向の両端部に１対の紐状体４１Ａ，４１Ｂを取付自在とし、１対の紐状体４１Ａ，４１Ｂを介して椅子の座面に載置する座布団として椅子に固定することも可能である。
【０１０６】
即ち、ランドセルカバーとしてランドセル１１０の冠１１１に装着した状態の防災頭巾兼用ランドセルカバー１Ａを、学校では、ランドセル１１０から取外し、紐状体４１Ａをホック４５の凹パーツ４５ｃ及び凸パーツ４５ｅの接合によって裏部材２０の長辺側端部７１ＢＬの長辺方向の一端部に取付け、また、紐状体４１Ｂをホック４５の凸パーツ４５ｄ及び凹パーツ４５ｆの接合によって裏部材２０の長辺側端部７１ＢＬの長辺方向の他端部に取付け、椅子の座面に対して略垂直に配設している背凭れの１対の支柱に１対の紐状体４１Ａ，Ｂを結んで椅子に取付けることで、防災頭巾兼用ランドセルカバー１Ａを椅子の座面に載置する座布団として機能させることができる。
【０１０７】
なお、本発明を実施する場合には、１対の紐状体４１Ａ，４１Ｂの表部材１０と裏部材２０への取付けは、ホックに限定されず、例えば、面ファスナ等の接着布、スナップボタン、ドット釦等の接続具を使用して取付けてもよいし、表部材１０と裏部材２０に取付けたループに紐状体４１Ａ，４１Ｂを通すことによって取付けてもよい。
【０１０８】
ところで、上記実施の形態及び変形例においては、上記実施の形態の開口部５０や変形例の開口部５０Ａから表部材１０及び裏部材２０の間に落下物等が進入して頭部に直撃するのを阻止する手段として１対の接合部材６２ａ，６２ｂによって部分的に表部材１０の内面及び裏部材２０内面を接合する手段を説明としたが、本発明を実施する場合には、例えば、上記実施の形態の開口部５０に対し、裏部材２０の外面側または内面側から開口部５０を被覆部８１，８１Ａで覆うことで、開口部５０から表部材１０及び裏部材２０の間に落下物等が進入するのを阻止するようにしてもよい。
【０１０９】
例えば、図１４（ａ）に示すように、上記実施の形態の開口部５０に対しては、裏部材２０の外面側で略長方形状の布からなる被覆部８１の長辺側の一端部を短辺側閉鎖端部３１Ｓ側で開口部５０の周縁部に縫付線８１ａにて縫付け、被覆部８１の他端部側（長辺側）が自由端となるように被覆部８１を取付ける。これよりランドセル１１０の差込ベロ部１１２が開口部５０に通されて裏部材２０の内面側から外面側に引き出されるときには、被覆部８１が開口部５０全体を覆うことなく被覆部８１の自由端側が開放されて、そこからランドセル１１０の差込ベロ部１１２が引き出される。なお、ランドセルカバーとしてランドセル１１０の冠１１１への装着状態では、被覆部８１は開口部５０から裏部材２０の内面及び表部材１０の内面の間に入れ込んでおくことで目立なたくすることもできる。一方で、防災頭巾として使用する際には、短辺側閉鎖端部３１Ｓ側から被覆部８１が開口部５０全体を覆うことで、開口部５０から表部材１０及び裏部材２０の間に落下物等が進入して頭部に直撃するのを阻止できる。また、開口部５０が被覆部８１で密閉されるものではないから、通気性及び外部の音の聞き取り易さも確保される。なお、被覆部８１の自由端側も面ファスナ等の接着布、ボタン、ドット釦等の接続具を使用して裏部材２０に接合自在としてもよい。
【０１１０】
また、例えば、図１４（ｂ）に示すように、実施の形態の開口部５０に対しては、裏部材２０の外面側で、開口部５０の周縁部において短辺側閉鎖端部３１Ｓ側とは反対側でボタン８３を取付け、また、短辺側閉鎖端部３１Ｓ側にボタン８３に掛ける紐状のループ８４を取付ける。これにより、防災頭巾として使用する際には、紐状のループ８４をボタン８３に掛けることで、短辺側閉鎖端部３１Ｓ側で表部材１０及び裏部材２０が折曲げられ開口部５０を覆う被覆部８１Ａを形成し、この被覆部８１Ａによって外面側に開口部５０が表出しないから、落下物等が開口部５０から進入して頭部に直撃するのを阻止できる。更に、表部材１０及び裏部材２０の折曲げによって強度も増し緩衝性も向上する。また、開口部５０によって通気性及び外部の音の聞き取り易さも確保できる。
【０１１１】
こうして、開口部５０を被覆自在な被覆部８１，８１Ａを有することでも、防災頭巾として頭部に装着した際に、被覆部８１，８１Ａで開口部５０を覆うことで、開口部５０から落下物等が表部材１０の内面と裏部材２０の内面の間に進入し頭部に当たるのを阻止することができる。
【０１１２】
更に、例えば、図１５（ａ）に示すように、変形例のスリット状の開口部５０Ａに対しては、その周縁部にゴム９１を取付けて開口部５０Ａの周囲を伸縮自在に形成してもよい。これにより、ランドセルカバーとしてランドセル１１０の冠１１１へ装着する際では、ゴム９１の伸長によって開口部５０Ａを大きく開いてランドセル１１０の差込ベロ部１１２を通すことができる。一方で、防災頭巾として使用する際には、ランドセルカバーから防災頭巾に切替える際に何ら操作を必要とすることなく、ゴム９１の本来の長さに収縮することで、開口部５０Ａの大きさが小さくなり、落下物等が進入し難いものとなる。また、小さい開口部５０Ａから通気性及び外部の音の聞き取り易さも確保される。
【０１１３】
加えて、例えば、図１５（ｂ）に示すように、変形例のスリット状の開口部５０Ａに対しては、その周縁部にハード芯や硬質ボード等の芯材９３を取付けて、開口部５０Ａの周囲の剛性、強度を高めてもよい。芯材９３により開口部５０Ａ周囲の剛性、強度を高めることで、外力を受けたときでも開口部５０Ａが開口し難く開口変形を防止できるため、開口部Ａに落下物等が進入し難いものとなる。また、開口部５０Ａにより通気性及び外部の音の聞き取り易さも確保される。
その他にも、例えば、スリット状の開口部５０Ａの周縁に１対の線ファスナを取付け開口部５０Ａを線ファスナで開閉自在にしてもよい。
【０１１４】
また、上記緩衝性を有する表部材１０及び裏部材２０は、表生地及び裏生地からなる外生地に緩衝材を入れる説明としたが、本発明を実施する場合には、例えば、袋状のプラチック等からなる生地シートに空気等を封入することによって、空気等による緩衝性を有するものであってもよい。
【０１１５】
以上説明したように、上記実施の形態の防災頭巾兼用ランドセルカバー１は、ランドセル１１０の冠表１１１Ｆを覆う緩衝性を有する長方形状の表部材１０と、表部材１０に対向し、ランドセル１１０の冠裏１１１Ｂを覆う緩衝性を有する長方形状の裏部材２０と、表部材１０の一方の長辺側の端部と裏部材２０の一方の長辺側の端部が接合され、また、表部材１０の一方の短辺側の端部と裏部材２０の一方の短辺側の端部とが接合された閉鎖端部３１Ｓ，３１Ｌと、閉鎖端部３１Ｓ，３１Ｌを形成しない表部材１０の他方の長辺側の端部７１ＦＳ，７１ＦＬ側及び裏部材２０の他方の長辺側の端部７１ＢＳ，７１ＢＬ側で表部材１０と裏部材２０の間隔を調節自在に表部材１０と裏部材２０の間を接続する紐状体４１及び紐止め具４２とを具備する防災頭巾兼用ランドセルカバー１であって、表部材１０と裏部材２０が接合した短辺側の閉鎖端部３１Ｓ側にランドセル１１０の差込ベロ部１１２が挿通される開口部５０が表部材１０及び裏部材２０の短辺方向（横幅方向）に長く形成され、閉鎖端部３１Ｓ，３１Ｌを形成しない表部材１０の他方の長辺側及び短辺側の端部７１ＦＬ，７１ＦＳと裏部材２０の他方の長辺側及び短辺側の端部７１ＢＬ，７１ＢＳが開放端とされ、その開放端側から表部材１０及び裏部材２０の間にランドセル１１０の冠１１１を挿入自在とし、ランドセル１１０の冠表１１１Ｆ及び冠裏１１１Ｂを覆うランドセルカバーとしてランドセル１１０の冠１１１に装着自在であり、また、開放端側から表部材１０及び裏部材２０の間に頭部を挿入自在とし、頭部の周囲を保護する防災頭巾として頭部に装着自在であるものである。
【０１１６】
また、上記変形例の防災頭巾兼用ランドセルカバー１Ａは、ランドセル１１０の冠表１１１Ｆを覆う緩衝性を有する長方形状の表部材１０と、表部材１０に対向し、ランドセル１１０の冠裏１１１Ｂを覆う緩衝性を有する長方形状の裏部材２０と、表部材１０の一方の長辺側の端部と裏部材２０の一方の長辺側の端部が接合され、また、表部材１０の一方の短辺側の端部と裏部材２０の一方の短辺側の端部とが接合された閉鎖端部３１Ｓ，３１Ｌと、閉鎖端部３１Ｓ，３１Ｌを形成しない表部材１０の他方の長辺側の端部７１ＦＳ，７１ＦＬ側及び裏部材２０の他方の長辺側の端部７１ＢＳ，７１ＢＬ側で表部材１０と裏部材２０の間を接続自在なホック４５ａ，４５ｂまたはホック４５ａ，４５ｂに取付けた１対の紐状体４１Ａ，４１Ｂとを具備する防災頭巾兼用ランドセルカバー１であって、表部材１０と裏部材２０が接合した短辺側の閉鎖端部３１Ｓ側にランドセル１１０の差込ベロ部１１２が挿通される開口部５０Ａが表部材１０及び裏部材２０の短辺方向（横幅方向）に長く形成され、閉鎖端部３１Ｓ，３１Ｌを形成しない表部材１０の他方の長辺側及び短辺側の端部７１ＦＬ，７１ＦＳと裏部材２０の他方の長辺側及び短辺側の端部７１ＢＬ，７１ＢＳが開放端とされ、その開放端側から表部材１０及び裏部材２０の間にランドセル１１０の冠１１１を挿入自在とし、ランドセル１１０の冠表１１１Ｆ及び冠裏１１１Ｂを覆うランドセルカバーとしてランドセル１１０の冠１１１に装着自在であり、また、開放端側から表部材１０及び裏部材２０の間に頭部を挿入自在とし、頭部の周囲を保護する防災頭巾として頭部に装着自在であるものである。
【０１１７】
上記実施の形態及び変形例の防災頭巾兼用ランドセルカバー１，１Ａによれば、表部材１０の内面及び裏部材２０の内面の間へのランドセル１１０の冠１１１の挿入によりランドセル１１０の冠表１１１Ｆを表部材１０で覆い、ランドセル１１０の冠裏１１１Ｂを裏部材２０で覆い、表部材１０及び裏部材２０の間でランドセル１１０の冠１１１を挟むようにしてランドセル１１０の冠１１１に装着される。そして、表部材１０及び裏部材２０の長辺側の開放端側、即ち、閉鎖端部を形成していない表部材の他方の長辺側の端部７１ＦＬ側及び裏部材の他方の長辺側の端部７１ＢＬ側で、上記実施の形態のおいては表部材１０と裏部材２０の間隔を調節自在に表部材１０と裏部材２０の間を接続する紐状体４１及び紐止め具４２によって、変形例においては表部材１０と裏部材２０の間を接続自在とするホック４５ａ，４５ｂの接合またはホック４５ａ，４５ｂに取付けた１対の紐状体４１Ａ，４１Ｂの接続（結び）によって、表部材１０と裏部材２０の移動を拘束し表部材１０及び裏部材２０の位置ずれを防止する。また、表部材１０の内面及び裏部材２０の内面の間に挿入されたランドセル１１０の冠１１１は、その差込ベロ部１１２が、表部材１０及び裏部材２０が接合した短辺側の閉鎖端部３１Ｓ側に設けた開口部５０，５０Ａに通されて外面側に引き出され、ランドセル１１０の本体部１１５の下端側及び差込ベロ部１１２の先端側に設けた錠前（一対の固定具）によりランドセル１１０の本体部１１５に固定される。
【０１１８】
このように、上記実施の形態及び変形例の防災頭巾兼用ランドセルカバー１，１Ａによれば、ランドセル１１０の冠表１１１Ｆを表部材１０で覆い、ランドセル１１０の冠裏１１１Ｂを裏部材２０で覆うランドセルカバーとしてランドセル１１０の冠１１１に装着することで、ランドセル１１０の冠１１１の傷付き等の損傷を防止し、また、表部材１０及び裏部材２０が緩衝性を有するから、壁等にぶつかってランドセル１１０の冠１１１側が外力を受けたときでもランドセル１１０への衝撃及びランドセル１１０の装着者への衝撃を吸収し緩和できる。ランドセル１１０への装着によって、他のランドセル１１０と区別する識別性を持たせることも可能である。
【０１１９】
また、地震等の災害時には、ランドセル１１０から取外し、即ち、表部材１０及び裏部材２０の間に入れられていたランドセル１１０の冠１１１を表部材１０及び裏部材２０の開放端側から外し、表部材１０及び裏部材２０の開放端から表部材１０の内面及び裏部材２０の内面の間に頭部を挿入することで、表部材１０及び裏部材２０によって頭部の周囲を覆い保護する防災頭巾として頭部に装着できる。
【０１２０】
このように、上記実施の形態及び変形例の防災頭巾兼用ランドセルカバー１，１Ａによれば、防災頭巾として頭部を覆う面積が表部材１０と裏部材２０とに分割されランドセルカバーとして装着の際には表部材１０を冠表１１１Ｆに配置する一方で、裏部材２０を冠裏１１１Ｂに配置して、表部材１０及び裏部材２０を重ねた全体では分厚い防災頭巾兼用ランドセルカバー１の厚みもランドセル１１０の冠表１１１Ｆ側に配置する表部材１０とランドセル１１０の冠裏１１１Ｂ側に配置する裏部材２０に分散され、ランドセル１１０の冠裏１１１Ｂと本体部１１５との間に介在する裏部材２０の厚みは表部材１０及び裏部材２０を重ねた全体の厚みの半分で済み、折り畳むことなく冠１１１に装着するものであるから、既存のランドセル１１０の本体部１１５の下端側に設けた錠前に対する冠１１１の先端側の錠前１１２ａの係止位置に影響を与えない取付けを可能とする。更に、表部材１０及び裏部材２０が接合した短辺側の閉鎖端部３１Ｓ側に開口部５０，５０Ａを設けそこにランドセル１１０の冠１１１の差込ベロ部１１２を通しており、また、表部材１０及び裏部材２０の長辺側の開放端７１ＦＬ，７１ＢＬ側でも、上記実施の形態においては紐状体４１及び紐止め具４２によって、変形例においてはホック４５ａ，４５ｂまたはホック４５ａ，４５ｂに取付けた１対の紐状体４１Ａ，４１Ｂによって表部材１０と裏部材２０の間を接続するから、ランドセル１１０の冠１１１に対し位置ずれし難い固定を可能とする。
【０１２１】
そして、頭部に装着する防災頭巾として、表部材１０の一方の長辺側の端部と裏部材２０の一方の長辺側との端部が接合され、また、表部材の一方の短辺側の端部と前記表部材の一方の短辺側の端部とが接合された表部材１０と裏部材２０の間に頭部を入れる装着形態であるから、緩衝性を有する表部材１０及び裏部材２０によって頭部の周囲全体を広くカバーでき保護力が高いものである。
【０１２２】
こうして、上記実施の形態及び変形例の防災頭巾兼用ランドセルカバー１，１Ａによれば、ランドセルカバーとして既存のランドセルに対してその機能を阻害することなく取付けでき、また、防災頭巾として頭部の周囲を広範囲で保護できる。
【０１２３】
更に、上記実施の形態及び変形例の防災頭巾兼用ランドセルカバー１，１Ａによれば、接続部材は表部材１０及び裏部材に２０に取付けられた紐状体４１，４１Ａ，４１Ｂで構成され、頭部に装着した際に紐状体４１，４１Ａ，４１Ｂが顎紐として機能する。
よって、防災頭巾として頭部に装着した際に、顎紐として紐状体４１，４１Ａ，４１Ｂを装着者の顎にかけることで、頭部からの落下や頭部からの位置ずれを防止できる。
【０１２４】
特に、上記実施の形態の防災頭巾兼用ランドセルカバー１によれば、紐状体４１に対し表部材１０及び裏部材２０の間を架け渡す接続長さを調節自在な調節部材としての紐止め具４２を取付けたことから、紐状体４１を結んだり及びその結びを解いたりする操作を必要とすることなく、調節部材としての紐止め具４２によって表部材１０及び裏部材２０の間を架け渡す接続長さを調節自在とし、表部材１０及び裏部材２０の間隔を調節自在であるから、緊急時でもランドセル１１０からの取外しの作業及び頭部に装着し固定する作業を迅速に行うことができ、ランドセルカバーから防災頭巾への切替え操作を容易にできる。
【０１２５】
そして、上記実施の形態及び変形例の防災頭巾兼用ランドセルカバー１，１Ａによれば、開口部５０，５０Ａの付近に表部材１０と裏部材２０を部分的に接合自在とする接着布からなる１対の接合部材６２ａ，６２ｂを具備するから、防災頭巾として頭部に装着した際に、表部材１０と裏部材２０を接着布からなる１対の接合部材６２ａ，６２ｂで部分的に接合することで、開口部５０，５０Ａから落下物等が表部材１０の内面と２０裏部材の内面の間に進入して頭部に当たるのを阻止することができる。また、表部材１０と裏部材２０を接着布からなる１対の接合部材６２ａ，６２ｂで接合することでその部分の強度が増し、衝撃の緩和効果を高めることができる。
【０１２６】
加えて、上記実施の形態の防災頭巾兼用ランドセルカバー１によれば、短辺側の閉鎖端部３１Ｓが表部材１０の短辺側の端部と裏部材２０の短辺側の端部の全長が接合して閉じられており、開口部５０は短辺側閉鎖端部３１Ｓの端縁よりも内側で裏部材２０に設けられている。
こうして、上記実施の形態の防災頭巾兼用ランドセルカバー１においては、開口部５０が短辺側閉鎖端部３１Ｓの端縁よりも内側で裏部材２０に設けられ、短辺側閉鎖端部３１Ｓは表部材１０の短辺側の端部と裏部材２０の短辺側の端部の全長が接合して閉じられていることから、ランドセル１１０の冠１１１に装着した際にランドセル１１０の冠１１１の長方形蓋の下辺の短辺の端縁の全長を覆うことができる。よって、損傷を受けやすい冠１１１の下辺の端縁であっても露出させることなくカバーできて、冠１１１の下辺の端縁の損傷を防止できる。
【０１２７】
上記変形例の防災頭巾兼用ランドセルカバー１Ａにおいては、開口部５０Ａが短辺側閉鎖端部３１Ｓ側の表部材１０の短辺側の端部と裏部材２０の短辺側の端部間が部分的に接合されることなく表部材１０の短辺側の端部と裏部材２０の短辺側の端部の間の開口であることから、表部材１０や裏部材２０に切り込み等を入れて開口部を設ける必要がなく、縫製作業も容易となる。よって、製造の容易化、作業性の向上を可能とする。
【０１２８】
なお、本発明を実施する場合、短辺側閉鎖端部３１Ｓや長辺側閉鎖端部３１Ｌは、表部材１０の一方の長辺側の端部と裏部材２０の一方の長辺側との端部を接合でき、また、表部材１０の一方の短辺側の端部と裏部材２０の一方の短辺側の端部とを接合でき閉鎖できる構成であれば、例えば、雄部材及び雌部材からなる１対の線ファスナ等によって開閉自在に閉じる構成としてもよい。１対の線ファスナ等を用いて、表部材１０の一方の長辺側の端部と裏部材２０の一方の長辺側との端部を接合及び分離自在とし、また、表部材１０の一方の短辺側の端部と裏部材２０の一方の短辺側の端部とを接合及び分離自在とする構成では、表部材１０及び裏部材２０を展開して、より広い面積で人体の一部を受ける座布団、枕、クッション等として活用しやすくなる。
【０１２９】
また、上記説明では、ランドセル１１０の下端底部に錠前を設けたランドセル１１０に取付ける説明をしたが、冠１１１の１／２〜２／３の長さの、所謂、半かぶせ型のランドセル（錠前の位置が本体部１１５の中央部側）に取付けるものであっても、同様の構成を採用することができる。即ち、このような半かぶせ型のランドセルでは、開口部に錠前を通すことでランドセルの冠に装着されることになる。
【符号の説明】
【０１３０】
１，１Ａ  防災頭巾兼用ランドセルカバー
１０  表部材
２０  裏部材
３１Ｓ，３１Ｌ  閉鎖端部
４１，４１Ａ，４１Ｂ  紐状体
４２  紐止め具
５０，５０Ａ  開口部
６２ａ，６２ｂ  接合部材
８１，８１Ａ  被覆部
【図１】
2019154548.tif 000003
【図２】
2019154548.tif 000004
【図３】
2019154548.tif 000005
【図４】
2019154548.tif 000006
【図５】
2019154548.tif 000007
【図６】
2019154548.tif 000008
【図７】
2019154548.tif 000009
【図８】
2019154548.tif 000010
【図９】
2019154548.tif 000011
【図１０】
2019154548.tif 000012
【図１１】
2019154548.tif 000013
【図１２】
2019154548.tif 000014
【図１３】
2019154548.tif 000015
【図１４】
2019154548.tif 000016
【図１５】
2019154548.tif 000017